(57)【要約】【課題】可動体にインパクトのある動作を行わせて興趣を向上し得る遊技機を提供する。【解決手段】第１装置本体４５に第１移動部材６０が上下方向に移動自在に支持される。第１移動部材６０に下端部が回動自在に支持された第１可動体４６に設けた前第１軸が、第１移動部材６０に形成した第１ガイド孔６７ａに移動自在に挿通される。第１装置本体４５に上端部が回動自在に支持された第１作動部材７９の下端部が、第１可動体４６における前第１軸から離間した位置に前第３軸を介して回動自在に支持される。そして、第１駆動機構４７によって第１移動部材６０を上下方向に移動することで、第１可動体４６が上下方向に移動しつつ前第１軸および前第３軸に対して回動して姿勢が変化する。第１可動体４６に第１可動部材４８が進退移動自在に配設される。【選択図】図９
2015202277.tif 000002
【特許請求の範囲】
【請求項１】
動作により演出を行う可動演出装置を備えた遊技機において、
前記可動演出装置は、
装置本体に移動自在に配設された移動部材と、
前記移動部材に第１軸を介して回動自在に連繋された可動体と、
前記装置本体に一端が第２軸を介して回動自在に支持されると共に、他端が前記可動体における第１軸の連繋部から離間した位置に第３軸を介して回動自在に連繋された作動部材と、
前記移動部材または作動部材を動作する駆動機構と、
前記可動体に配設されて、非作動位置と該非作動位置に対して可動体の端部からの突出量が大きくなる作動位置との間を移動可能な可動部材と、
前記可動体に配設されて前記可動部材を動作させる進退機構とを備え、
前記駆動機構により移動部材および作動部材の一方を動作することに伴い前記可動体を介して他方が連動することで、該可動体が前記第１軸および第３軸の移動に伴い第１位置と第２位置との間を移動すると共に、両位置の間を移動する間に可動体が両軸に対して回動して姿勢変化するよう構成された
ことを特徴とする遊技機。
【請求項２】
前記可動体の第１位置を検出する第１検出手段と、
前記可動体の第２位置を検出する第２検出手段と、
前記可動部材の作動位置を検出する第３検出手段とを備え、
前記第１〜第３検出手段の検出状態に応じて前記駆動機構および進退機構を駆動制御して前記可動体および可動部材を動作させるよう構成された請求項１記載の遊技機。
【請求項３】
前記駆動機構は、
前記移動部材に設けたラックと、
前記装置本体に回動自在に支持され、前記ラックに噛合するピニオンと、
前記ピニオンを回転駆動する駆動モータとを備え、
前記駆動モータにより回転駆動されるピニオンとラックとの噛合作用下に前記移動部材は直線的に移動するよう構成された請求項１または２記載の遊技機。
【請求項４】
前記装置本体に、前記作動部材における第２軸と第３軸との間に設けた被規制部に当接して該作動部材の回動範囲を規制する規制部が設けられ、
前記作動部材は、前記第２軸および第３軸を結ぶ線分に対して当該作動部材の回転軸線方向と交差する方向に屈曲するように形成されている請求項１〜３の何れか一項に記載の遊技機。
【請求項５】
前記作動部材は、当該作動部材の回転軸線方向に屈曲するように形成されている請求項１〜４の何れか一項に記載の遊技機。
【請求項６】
前記可動体に、前記可動部材の非作動位置では該可動部材で隠れ、該可動部材の作動位置では前側に露出する発光演出装置が設けられている請求項１〜５の何れか一項に記載の遊技機。
【発明の詳細な説明】
【技術分野】
【０００１】
この発明は、動作により演出を行う可動演出装置を備えた遊技機に関するものである。
【背景技術】
【０００２】
代表的な遊技機であるパチンコ機は、機内にセットされる遊技盤に画成した遊技領域の略中央位置に枠状の枠状装飾体(所謂センター役物)が配設されて、該枠状装飾体の窓口を介して複数の図柄を変動表示する液晶式やドラム式等の図柄表示装置を後方から臨ませると共に、該遊技盤における枠状装飾体の下方位置に、パチンコ球(遊技球)の入賞により図柄表示装置での図柄変動を開始させる始動入賞装置や大当り時等に開放する特別入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組合わせで停止することにより所謂大当りが発生し、前記特別入賞装置が開放して多数の賞球を獲得し得るよう構成される。
【０００３】
前記パチンコ機では、前記枠状装飾体等に、所要の動作を行う可動体を備えた可動演出装置を配設し、前記図柄表示装置で行われる遊技演出に合わせて可動体を動作させることにより、視覚的な演出効果を向上させ、遊技の興趣を高めるようにしたパチンコ機も知られている(例えば、特許文献１参照)。
【先行技術文献】
【特許文献】
【０００４】
【特許文献１】特開２０１０−１１９６６８号公報
【発明の概要】
【発明が解決しようとする課題】
【０００５】
特許文献１に開示された可動演出装置は、定位置に配置された回転軸を中心として可動体が揺動するよう構成されているので、該可動体は回転軸の配設位置に依存した範囲での動作に限定され、動作による演出効果の向上は限定的であった。
【０００６】
すなわち本発明は、従来の技術に係る遊技機に内在する前記課題に鑑み、これを好適に解決するべく提案されたものであって、可動体にインパクトのある動作を行わせて興趣を向上し得る遊技機を提供することを目的とする。
【課題を解決するための手段】
【０００７】
前記課題を克服し、所期の目的を達成するため、本願の請求項１に係る発明は、
動作により演出を行う可動演出装置(M1,M2)を備えた遊技機において、
前記可動演出装置(M1,M2)は、
装置本体(45,103)に移動自在に配設された移動部材(60,118)と、
前記移動部材(60,118)に第１軸(74,131)を介して回動自在に連繋された可動体(46,104)と、
前記装置本体(45,103)に一端が第２軸(57,113)を介して回動自在に支持されると共に、他端が前記可動体(46,104)における第１軸(74,131)の連繋部から離間した位置に第３軸(77,133)を介して回動自在に連繋された作動部材(79,134)と、
前記移動部材(60,118)または作動部材(79,134)を動作する駆動機構(47,105)と、
前記可動体(46,104)に配設されて、非作動位置と該非作動位置に対して可動体(46,104)の端部からの突出量が大きくなる作動位置との間を移動可能な可動部材(48,106)と、
前記可動体(46,104)に配設されて前記可動部材(48,106)を動作させる進退機構(49,107)とを備え、
前記駆動機構(47,105)により移動部材(60,118)および作動部材(79,134)の一方を動作することに伴い前記可動体(46,104)を介して他方が連動することで、該可動体(46,104)が前記第１軸(74,131)および第３軸(77,133)の移動に伴い第１位置と第２位置との間を移動すると共に、両位置の間を移動する間に可動体(46,104)が両軸(74,131,77,133)に対して回動して姿勢変化するよう構成されたことを要旨とする。
【０００８】
請求項１に係る発明によれば、可動体に連繋された２つの軸の移動に伴って該可動体を移動しつつ両軸に対して回動して姿勢が変化するよう構成したので、可動体にインパクトのある動作を行わせることができ、興趣を向上し得る。また、可動体に対して突出量が変化する可動部材を該可動体に移動自在に配設したので、該可動部材を突出量が大きくなる作動位置に移動することによって、可動体の動作と併せてよりインパクトを与えることができ、興趣をより向上し得る。
【０００９】
請求項２に記載の発明では、前記可動体(46,104)の第１位置を検出する第１検出手段(71,128)と、
前記可動体(46,104)の第２位置を検出する第２検出手段(81,136)と、
前記可動部材(48,106)の作動位置を検出する第３検出手段(98,153)とを備え、
前記第１〜第３検出手段(71,128,81,136,98,153)の検出状態に応じて前記駆動機構(47,105)および進退機構(49,107)を駆動制御して前記可動体(46,104)および可動部材(48,106)を動作させるよう構成されたことを要旨とする。
請求項２に係る発明によれば、可動体および可動部材を、検出手段による検出状態に応じて移動するよう構成したので、適正な状態で可動体および可動部材を移動させることができ、可動体および可動部材の他部品との接触干渉による動作不良の発生を防止することができる。
【００１０】
請求項３に記載の発明では、前記駆動機構(47,105)は、
前記移動部材(60,118)に設けたラック(61a,119a)と、
前記装置本体(45,103)に回動自在に支持され、前記ラック(61a,119a)に噛合するピニオン(70,127)と、
前記ピニオン(70,127)を回転駆動する駆動モータ(69,116)とを備え、
前記駆動モータ(69,116)により回転駆動されるピニオン(70,127)とラック(61a,119a)との噛合作用下に前記移動部材(60,118)は直線的に移動するよう構成されたことを要旨とする。
請求項３に係る発明によれば、移動部材を直線的に移動させるだけの簡単な構成で、可動体にインパクトのある動作を行わせることができる。
【００１１】
請求項４に記載の発明では、前記装置本体(45,103)に、前記作動部材(79,134)における第２軸(57,113)と第３軸(77,133)との間に設けた被規制部(80,135)に当接して該作動部材(79,134)の回動範囲を規制する規制部(58,115)が設けられ、
前記作動部材(79,134)は、前記第２軸(57,113)および第３軸(77,133)を結ぶ線分(L1,L2)に対して当該作動部材(79,134)の回転軸線方向と交差する方向に屈曲するように形成されていることを要旨とする。
請求項４に係る発明によれば、可動体の移動範囲を規制することで、該可動体が他部品と接触して動作不良が発生するのを防止することができる。また、作動部材を屈曲して剛性を高めることで、可動体を適正に動作させることができる。
【００１２】
請求項５に記載の発明では、前記作動部材(79,134)は、当該作動部材(79,134)の回転軸線方向に屈曲するように形成されていることを要旨とする。
請求項５に係る発明によれば、作動部材を回転軸線方向に屈曲することで該作動部材の回転軸線方向の変位を抑制することができ、他部品との接触干渉による動作不良の発生を抑えることができる。
【００１３】
請求項６に記載の発明では、前記可動体(46,104)に、前記可動部材(48,106)の非作動位置では該可動部材(48,106)で隠れ、該可動部材(48,106)の作動位置では前側に露出する発光演出装置(137)が設けられていることを要旨とする。
請求項６に係る発明によれば、可動部材の移動によって露出する発光演出装置を可動体に設けたので、可動部材の動作演出と発光演出装置の発光演出とによってより興趣の高い演出を行うことができる。
【発明の効果】
【００１４】
本発明に係る遊技機によれば、可動体にインパクトのある動作を行わせて興趣を向上し得る。
【図面の簡単な説明】
【００１５】
【図１】実施例に係るパチンコ機を示す正面図である。
【図２】実施例に係る遊技盤の正面図であって、第１および第２可動体が第１位置の状態で遊技盤の裏側に隠れている状態で示している。
【図３】実施例に係る遊技盤の正面図であって、第１および第２可動体が第２位置で、第１および第２可動部材が非作動位置の状態で示している。
【図４】実施例に係る遊技盤の正面図であって、第１および第２可動体が第２位置で、第１および第２可動部材が作動位置の状態で示している。
【図５】図２の状態での設置部材を配設した遊技盤の横断平面図である。
【図６】実施例に係る設置部材の正面図であって、第１および第２可動体が第１位置の状態で示している。
【図７】実施例に係る第１可動演出装置の背面図であって、第１装置本体を省略している。
【図８】実施例に係る第１可動演出装置の要部縦断背面図である。
【図９】実施例に係る第１可動演出装置の正面図であって、第１可動体が第２位置で、第１可動部材が作動位置の状態で示している。
【図１０】図９の状態での第１可動演出装置の背面図であって、第１装置本体を省略している。
【図１１】図９の状態での第１可動演出装置の平面図である。
【図１２】実施例に係る第１可動演出装置における第１装置本体と第１駆動機構とを分解して前側から見た概略斜視図である。
【図１３】実施例に係る第１可動演出装置における第１装置本体と第１駆動機構とを分解して後側から見た概略斜視図である。
【図１４】実施例に係る第１可動演出装置における第１可動体と第１作動部材とを分解して前側から見た概略斜視図である。
【図１５】実施例に係る第１可動演出装置における第１可動体と第１作動部材とを分解して後側から見た概略斜視図である。
【図１６】実施例に係る第１可動演出装置における第１可動体と回転機構とを分解して前側から見た概略斜視図である。
【図１７】実施例に係る第１可動演出装置における第１可動体と回転機構とを分解して後側から見た概略斜視図である。
【図１８】実施例に係る第１可動演出装置における第１可動体と第１可動部材とを分解して前側から見た概略斜視図である。
【図１９】実施例に係る第１可動演出装置における第１可動体と第１可動部材とを分解して後側から見た概略斜視図である。
【図２０】実施例に係る第２可動演出装置の背面図であって、第２装置本体を省略している。
【図２１】実施例に係る第２可動演出装置の要部縦断背面図である。
【図２２】実施例に係る第２可動演出装置の正面図であって、第２可動体が第２位置で、第２可動部材が作動位置の状態で示している。
【図２３】図２２の状態での第２可動演出装置の背面図であって、第２装置本体を省略している。
【図２４】図２２の状態での第２可動演出装置の平面図である。
【図２５】実施例に係る第２可動演出装置における第２装置本体、第２駆動機構および第２作動部材を分解して前側から見た概略斜視図である。
【図２６】実施例に係る第２可動演出装置における第１装置本体、第２駆動機構および第２作動部材を分解して後側から見た概略斜視図である。
【図２７】実施例に係る第２可動演出装置における第２可動体と第２可動部材とを分解して前側から見た概略斜視図である。
【図２８】実施例に係る第２可動演出装置における第２可動体と第２可動部材とを分解して後側から見た概略斜視図である。
【図２９】実施例に係る第１および第２可動演出装置の正面図であって、第１および第２可動体が第２位置で、第１および第２可動部材が非作動位置の状態で示している。
【図３０】図２９のＡ−Ａ線で示す要部断面図である。
【図３１】実施例に係る第１および第２可動演出装置の正面図であって、第１および第２可動体が第２位置で、第１および第２可動部材が作動位置の状態で示している。
【図３２】図３１のＢ−Ｂ線で示す要部断面図である。
【図３３】実施例に係るパチンコ機における可動演出装置に関連する制御ブロック図である。
【発明を実施するための形態】
【００１６】
次に、本発明に係る遊技機につき、好適な実施例を挙げて、添付図面を参照して以下に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１７】
(パチンコ機１０について)
実施例に係るパチンコ機１０は、図１に示すように、矩形枠状に形成されて遊技店の図示しない設置枠台に固定される固定枠としての外枠１１の開口前面側に、後述する遊技盤２０(図２参照)を着脱可能に保持する本体枠としての中枠１２が開閉および着脱可能に組付けられると共に、遊技盤２０の後側に、図柄を変動表示可能な表示装置１７が着脱し得るよう配設されている。また、中枠１２の前面側には、遊技盤２０を透視可能に保護する透明板１３ａで前後に開口する窓口１３ｂを覆うよう構成された装飾枠としての前枠１３が開閉可能に組付けられると共に、該前枠１３の下方にパチンコ球を貯留する下球受け皿１５が開閉可能に組付けられる。なお、実施例では、前枠１３の下部位置に、パチンコ球を貯留する上球受け皿１４が一体的に組付けられており、前枠１３の開閉に合わせて上球受け皿１４も一体的に開閉するよう構成される。
【００１８】
前記前枠１３には、図１に示す如く、下球受け皿１５の右側方に、前記中枠１２に配設された打球発射装置(図示せず)を作動する操作ハンドル１６が設けられる。この操作ハンドル１６は、左回転方向に付勢された操作レバー１６ａを備えており、該操作レバー１６ａを右回転するよう遊技者が回動操作することで打球発射装置が作動されて、前記上球受け皿１４に貯留されたパチンコ球が前記遊技盤２０に向けて発射されるようになっている。なお、前記操作レバー１６ａの回動量に応じて前記打球発射装置によるパチンコ球の打球力が強弱変化するよう構成されており、遊技者が操作レバー１６ａを操作して回動量を調節することで、前記遊技盤２０に形成された遊技領域２４(後述)への打ち込み位置を変えられるようになっている。
【００１９】
(遊技盤２０について)
前記遊技盤２０は、アクリルやポリカーボネート等の合成樹脂材等からなる透明な平板状の板部材であって、該遊技盤２０の裏側に、前記表示装置１７や後述する各種の可動演出装置Ｍ１,Ｍ２や発光演出装置４４等が配設される設置部材２２が配設されている(図５参照)。設置部材２２は、前記遊技盤２０の外郭形状より僅かに小さい形状に形成された略矩形状の背面板１８と、該背面板１８の外周縁部から前方に突出する画壁部１９とから前方に開口した箱状に形成されて、該画壁部１９の開口前端部を遊技盤２０の裏面に当接させた状態で、当該遊技盤２０と設置部材２２とがネジ止め固定される。そして、前記設置部材２２において前記遊技盤２０との間に画成される空間に、動作により演出を行う可動演出装置Ｍ１,Ｍ２や発光により演出を行う発光演出装置４４等が設置されて、設置部材２２を基材とする１つのユニットとして扱い得るようになっている。また、設置部材２２の背面板１８には、後述する枠状装飾体２６の窓口２６ａと前後に整列する位置に、略矩形状の開口部２２ａが前後に開口するよう開設されて、背面板１６の裏面に配設した前記表示装置１７の表示部１７ａが、前記開口部２２ａおよび窓口２６ａを介して遊技盤２０の前側に臨むよう構成される。なお、遊技盤２０は、木材板の表面に各種絵柄等が描かれた合成樹脂シート等を貼付けて装飾したものであってもよい。
【００２０】
前記遊技盤２０の前面には、図２に示す如く、略円形状に湾曲形成した案内レール２３が配設されており、該案内レール２３により画成される略円形の遊技領域２４に、前記打球発射装置から発射されたパチンコ球が打ち出されることで遊技が行われるようになっている。また、遊技盤２０には、前後に貫通する装着口(図示せず)が適宜位置に開設されており、各装着口に対して各種の遊技部品が前側から取り付けられると共に、遊技領域２４の最下部位置には、該遊技領域２４に打ち出されたパチンコ球を排出するアウト口２５が開設されている。なお、前記装着口の形成数は、遊技盤２０に取り付けられる各種遊技部品の個数や配設位置等により必要に応じて適宜変更される。
【００２１】
実施例の前記遊技盤２０には、図２に示すように、前記案内レール２３で囲まれた遊技領域２４の略中央で開口する装着口に、前後に開口する窓口(開口部)２６ａが形成されたセンター役とも称される枠状装飾体２６が取り付けられ、該枠状装飾体２６の窓口２６ａを介して前記表示装置１７の表示部１７ａが遊技盤２０の前面側に臨むよう構成されている。なお、前記遊技盤２０には、前記遊技領域２４内に多数の遊技釘２７が設けられると共に、前記枠状装飾体２６の左側方に、遊技領域２４を流下するパチンコ球の接触に伴って回転する所謂「風車」とも称される回転案内部材２８が回転自在に支持されており、遊技領域２４を流下するパチンコ球が遊技釘２７や回転案内部材２８に接触することで、流下方向が不規則に変化するよう構成されている。
【００２２】
前記遊技盤２０における第１装着口(枠状装飾体２６)の下方に開設された第２装着口に、遊技領域２４を流下するパチンコ球が入賞可能な第１始動入賞口２９ａを有する始動入賞部２９が取り付けられている。また、遊技盤２０には、第２装着口の左方に開設された第３装着口に、遊技領域２４を流下するパチンコ球が入賞可能な普通入賞口３０ａが設けられたサイド飾り３０が取り付けられる。
【００２３】
(枠状装飾体２６について)
前記枠状装飾体２６は、前記第１装着口の内側に沿って延在する環状に形成された枠状基部３５(図５に一部図示)と、該枠状基部３５に設けられて前記遊技盤２０の前面より前方に突出し、前記遊技領域２４と表示装置１７の表示部１７ａを区切る庇状部３６と、該庇状部３６の後縁から外方に延出する薄板状の台板部３７とを備える(図２参照)。そして、前記枠状基部３５を第１装着口に挿入すると共に台板部３７を遊技盤２０の前面に当接した状態で、該台板部３７をネジ等の固定手段で遊技盤２０に固定することで、枠状装飾体２６が遊技盤２０に取り付けられて、該枠状装飾体２６の外側、具体的には庇状部３６と案内レール２３との間にパチンコ球が流下する遊技領域２４が画成されるようになっている。なお、枠状装飾体２６を遊技盤２０に取り付けた状態で、庇状部３６の後端縁から外方に延出する台板部３７が遊技盤２０の前面に沿って延在して、該台板部３７の前側をパチンコ球が通り得るようになっている。
【００２４】
前記枠状装飾体２６の庇状部３６は、枠状装飾体２６(台板部３７)の左側縁の略中間位置から上縁および右下縁に亘って連続して延在するよう設けられており、前記表示装置１７における表示部１７ａの前面側を横切ってパチンコ球が流下(落下)するのを規制している。また庇状部３６は、最上部位置から左右方向に下方傾斜するよう形成されて、遊技領域２４に打ち出されたパチンコ球が庇状部３６上で滞ることなく枠状装飾体２６の左側方または右側方へ誘導案内されるよう形成されている。すなわち、前記打球発射装置により遊技領域２４内に向けて発射されたパチンコ球は、到達位置に応じて枠状装飾体２６の左側の領域か、或いは右側の領域の何れかを流下するよう構成される。
【００２５】
前記枠状装飾体２６には、該枠状装飾体２６より左側に画成される遊技領域２４に臨んで、該遊技領域２４を流下するパチンコ球が入賞可能な第２始動入賞口３３ａを有する始動入賞装置３３、該遊技領域２４を流下するパチンコ球が入賞可能な普通入賞口３２ａを有する普通入賞部材３２、該遊技領域２４を流下するパチンコ球が通過可能な球通過ゲート３１、該遊技領域２４を流下するパチンコ球が入賞可能な特別入賞口３４ａを有する特別入賞装置３４が夫々取り付けられている(図２参照)。
【００２６】
前記枠状装飾体２６には、図２に示す如く、窓口２６ａの下側(枠状装飾体２６の内周下縁部)に、ステージ３８が配設されると共に、窓口２６ａの左側に、前記遊技領域２４に開口して該遊技領域２４を流下するパチンコ球を枠状装飾体２６の内側(ステージ３８)に取り込む球導入部３９が設けられ、該球導入部３９がステージ３８に連通するよう構成される。そして、球導入部３９からステージ３８に通出されたパチンコ球は、ステージ３８上を左右に転動した後に、前記各入賞口２９ａ,３０ａが設けられている遊技領域２４に排出される。また、ステージ３８の後端縁には、左右方向の全長に亘って上側に向けて所定高さで立上がる透明壁４０が設けられ、ステージ３８上を転動するパチンコ球が表示装置１７の表示部１７ａ側に移動するのを該透明壁４０で防止している。
【００２７】
ここで、実施例では、前記枠状装飾体２６の枠状基部や庇状部３６の前側に、各種の意匠が施された複数の装飾部品４１が配設され、該装飾部品４１および透明壁４０によって前記表示装置１７の表示部１７ａを前側に臨ませる窓口２６ａが画成されている。
【００２８】
(始動入賞部２９について)
前記遊技盤２０に配設された前記始動入賞部２９の第１始動入賞口２９ａは、遊技領域２４内で常に上方へ開口する常時開放タイプの入賞口とされ、該第１始動入賞口２９ａは、前記遊技領域２４を流下するパチンコ球が常時一定の確率で入賞可能に構成される。また始動入賞部２９は、前記第１始動入賞口２９ａに入賞したパチンコ球を検出する入賞検出手段としての第１始動入賞検出センサ(図示せず)を備えている。第１始動入賞検出センサは、パチンコ機１０の裏側に配設された制御手段１６０(図３３参照)に配線接続されており、該第１始動入賞検出センサによるパチンコ球の検出を契機として制御手段が所定数の賞球を払い出す制御を行うようになっている。なお、図３３においては、制御手段１６０と後述する可動演出装置Ｍ１,Ｍ２に関連する部材との接続関係のみを示している。
【００２９】
(始動入賞装置３３について)
前記始動入賞装置３３の第２始動入賞口３３ａは、開閉部材３３ｂによって開閉するよう構成されており、駆動手段としての始動入賞ソレノイド(図示せず)の駆動に伴って開閉部材３３ｂが第２始動入賞口３３ａを閉鎖する閉鎖位置と開放する開放位置に変位するよう構成されている。すなわち、第２始動入賞口３３ａは、始動入賞ソレノイドを駆動することでパチンコ球の入賞確率を可変し得るよう構成される。なお、開閉部材３３ｂを閉鎖位置から開放位置に変位して第２始動入賞口３３ａを開放する開放条件および開閉部材３３ｂを開放位置から閉鎖位置に変位して第２始動入賞口３３ａを閉鎖する閉鎖条件としては、開閉部材３３ｂが開放位置に変位している継続時間(第２始動入賞口３３ａの開放時間)が挙げられるが、その他の条件を設定してもよい。
【００３０】
前記始動入賞装置３３は、前記第２始動入賞口３３ａに入賞したパチンコ球を検出する入賞検出手段としての第２始動入賞検出センサ(図示せず)を備えている。第２始動入賞検出センサは、前記制御手段１６０に配線接続されており、該第２始動入賞検出センサによるパチンコ球の検出を契機として制御手段１６０が所定数の賞球を払い出す制御を行うようになっている。
【００３１】
ここで、パチンコ機１０では、第１および第２始動入賞検出センサによるパチンコ球の検出に伴って各種情報(乱数等)が取得され、この取得した情報に基づいて制御手段１６０によって特図当り抽選(大当り判定)が行われるよう構成されている。そして、特図当り抽選の結果に基づいて前記表示装置１７の表示部１７ａにおいて図柄変動演出が実行され、該表示装置１７の表示部１７ａでの図柄変動演出の結果、該表示部１７ａに所定の組み合わせ(例えば同一飾図の３つ揃い等)で飾図が確定停止表示されることで、遊技者に有利な大当り遊技状態が付与され、大当り遊技状態の発生に伴って前記特別入賞装置３４を所定の開放条件で開放する大当り遊技(当り遊技)が行われて、遊技者が賞球を獲得し得る機会が与えられるよう構成されている。
【００３２】
(特別入賞装置３４について)
前記特別入賞装置３４の特別入賞口３４ａは、開閉体(開閉部材)３４ｂによって開閉されるよう構成される。開閉体３４ｂは、駆動手段としての特別入賞ソレノイド(図示せず)に連繋されて、該特別入賞ソレノイドを駆動することで、開閉体３４ｂが特別入賞口３４ａへのパチンコ球の入賞を阻止する閉位置と該特別入賞口３４ａへのパチンコ球の入賞を許容する開位置との間を進退移動するよう構成される。また特別入賞装置３４には、前記特別入賞口３４ａに入賞したパチンコ球を検出する特別入賞検出手段としての特別入賞検出センサ(図示せず)が配設されている。特別入賞検出センサは、前記制御手段１６０に配線接続されており、特別入賞検出センサによるパチンコ球の検出を契機として制御手段１６０が所定数の賞球を払い出す制御を行うようになっている。なお、特別入賞装置３４は、開閉体３４ｂにより特別入賞口３４ａを常には閉鎖(入賞不能状態と)するよう構成され、前記大当り遊技(当り遊技)の発生に伴って特別入賞口３４ａを開放(入賞可能状態と)するよう構成されている。
【００３３】
(球通過ゲート３１について)
前記球通過ゲート３１は、該ゲート３１を通過するパチンコ球を検出する球通過検出センサ(図示せず)が設けられている。この球通過検出センサは、前記制御手段１６０に配線接続されており、該球通過検出センサから制御手段１６０への球検出信号の入力に伴って各種情報(乱数等)が取得され、この取得した情報に基づいて制御手段１６０によって普図当り抽選が行われ、該普図当り抽選の結果に応じて前記始動入賞装置３３の始動入賞ソレノイドが駆動制御されて開閉部材３３ｂが開閉動作するようになっている。
【００３４】
(普通入賞口３０ａについて)
前記サイド飾り３０には、図２に示す如く、複数の普通入賞口３０ａが設けられている。これに対し、前記普通入賞部材３２には、１つの普通入賞口３２ａが設けられている。普通入賞口３０ａ,３２ａは、前記遊技領域２４内で常に上方へ開口する常時開放タイプの入賞口とされ、遊技領域２４を流下するパチンコ球が常時一定の確率で入賞可能に構成されている。パチンコ機１０は、普通入賞口３０ａ,３２ａに入賞したパチンコ球を検出する普通入賞検出手段としての普通入賞検出センサ(図示せず)を備えている。普通入賞検出センサは、前記制御手段１６０に配線接続されており、普通入賞検出センサによるパチンコ球の検出を契機として制御手段１６０が所定数の賞球を払い出す制御を行うようになっている。
【００３５】
(裏装飾板４２について)
前記設置部材２２の前部(遊技盤２０との間)には、図５に示す如く、前記枠状装飾体２６の窓口２６ａに対応する開口部４２ａが形成された裏装飾板４２が配設されている。この裏装飾板４２には、開口部４２ａの周りに複数の裏装飾部品４３が配設されており、該裏装飾部品４３が透明な遊技盤２０を透して前側か視認し得るよう構成される。また裏装飾板４２には、発光基板の前面に複数のＬＥＤ等の発光体を実装した装飾用発光演出装置４４が配設され、該装飾用発光演出装置４４の発光体を発光することで前記裏装飾部品４３を裏側から照明して発光演出し得るよう構成されている。なお、裏装飾板４２には、前記各種入賞口２９ａ,３０ａ,３２ａ,３３ａ,３４ａに入賞したパチンコ球を機外に排出する複数の球通路が設けられている。
【００３６】
(可動演出装置Ｍ１,Ｍ２について)
前記遊技盤２０の裏側に設置部材２２を取り付けた状態で、該設置部材２２の背面板１８と遊技盤２０との間に、複数(実施例では２つ)の可動演出装置Ｍ１,Ｍ２が配設されている。実施例では、設置部材２２の前部に配設された前記裏装飾板４２と背面板１８との間に画成された空間Ｓに２つの可動演出装置Ｍ１,Ｍ２が配置されて、該裏装飾板４２を挟んで各可動演出装置Ｍ１,Ｍ２が遊技盤２０の裏側に位置するようになっている(図５参照)。実施例では、背面板１８における開口部２２ａを挟む右側部分に第１可動演出装置Ｍ１が配設されると共に左側部分に第２可動演出装置Ｍ２が配設され、これら第１可動演出装置Ｍ１および第２可動演出装置Ｍ２は、遊技盤２０の盤面に沿う方向で左右に離間している。
【００３７】
(第１可動演出装置Ｍ１について)
図９に示すように、前記第１可動演出装置Ｍ１は、前記設置部材２２に取り付けられる第１装置本体(装置本体)４５と、該第１装置本体４５に支持されて前記第２可動演出装置Ｍ２から離間する第１位置と近接する第２位置との間を移動可能な第１可動体４６と、該第１可動体４６を動作させる第１駆動機構４７と、第１可動体４６に移動自在に配設された第１可動部材４８と、該第１可動部材４８を動作させる第１進退機構４９とを備えている。また第１可動演出装置Ｍ１は、第１可動体４６に回動自在に支持された第１装飾部５０と、該第１装飾部５０を動作させる回転機構５１とを備えている。
【００３８】
(第１装置本体４５について)
前記第１装置本体４５は、図１２,図１３に示す如く、前記設置部材２２の背面板１８にネジ止め固定される第１ベース部材５２と、該第１ベース部材５２の前面に配設されて各種部品が取り付けられる複数の取付基材５３,５４,５５と、第１ベース部材５２の前面に配設される第１レール部材５６とを備える。第１ベース部材５２は、金属板からなる上下方向に長尺な板状部材であって、該第１ベース部材５２によって第１装置本体４５の剛性を高めるよう構成される。この第１ベース部材５２に配設される第１レール部材５６は、該第１ベース部材５２の左右方向の略中央より左側(窓口２６ａ側)に偏った位置において上下方向に延在するように配設されており、該第１レール部材５６に沿って後述する第１移動部材６０が上下方向に直線的に移動自在に支持される。第１ベース部材５２に配設される第１主取付基材５３は、左右に離間する側壁部５３ａ,５３ａの上端間を上壁部５３ｂで連結した下向きのコ字状に形成された部材であって、該第１主取付基材５３を第１ベース部材５２の前面に配設した状態で、両側壁部５３ａ,５３ａの間に、前記第１レール部材５６が位置するよう構成される。
【００３９】
前記第１主取付基材５３には、図９に示す如く、上部右端に第１軸取付基材５４が配設されており、第１主取付基材５３と第１軸取付基材５４との間に配設された前第２軸(第２軸)５７に、後述する第１作動部材７９が回動自在に支持されるようになっている。実施例では前後に分割された一対の軸部材５７ａ,５７ａから前第２軸５７が構成されているが、該前第２軸５７は１つの部材で構成したものであってもよい。また第１主取付基材５３には、図１２,図１４に示す如く、上部左端に、前記前第２軸５７を中心とする弧状に形成された第１規制孔(規制部)５８が上下方向に所定長さで延在しており、該第１規制孔５８に、第１作動部材７９に設けた後述する第１被規制部８０が移動自在に支持されるよう構成される。そして、第１規制孔５８内を移動する第１被規制部８０が該第１規制孔５８を画成する上端の壁および下端の壁に当接することで、第１作動部材７９の回動範囲が規制されるようになっている。また第１主取付基材５３には、右側の側壁部５３ａの前面に、前記第１駆動機構４７を構成する第１移動用モータ６９(後述)が取り付けられる第１モータ取付基材５５が配設されている。なお、第１モータ取付基材５５には、第１緩衝部材５９が配設されており、前記第１可動体４６が第２位置から第１位置に移動した際に、該第１可動体４６が第１緩衝部材５９に当接することで、第１可動体４６に加わる衝撃を緩和し得るよう構成してある。
【００４０】
(第１移動部材６０について)
前記第１レール部材５６に、第１移動部材(移動部材)６０が移動自在に支持されて、該第１移動部材６０が、第１駆動機構４７によって下方の待機位置(図７)と上方の移動位置(図９,図１０)との間を直線的に往復移動されるようになっている。この第１移動部材６０は、図１２,図１３に示す如く、一側面(窓口２６ａから離間する側の面であって実施例では右側面)に上下方向に延在する第１ラック(ラック)６１ａが設けられた第１ラック部材６１と、該第１ラック部材６１の裏面に配設された金属板からなる第１補強部材６２と、該第１補強部材６２の裏面に配設された第１スライド部材６３とを備え、該第１スライド部材６３が前記第１レール部材５６に摺動自在に支持されるよう構成される。また、第１ラック部材６１(第１移動部材６０)の下端部(移動方向の一端部)には、前記第１可動体４６を回動自在に支持する第１支持部材６４が配設されている。第１支持部材６４は、図１４,図１５に示す如く、前軸支持部材６５と後軸支持部材６６とを前後の関係で組付けることで構成され、各軸支持部材６５,６６に設けられて前後方向に整列する軸支孔６５ａ,６６ａに、前記第１可動体４６の後述する回転基部４６ａに設けた第１基軸７２が回動自在に挿通支持されている。なお、第１支持部材６４の外周壁には、第１可動体４６の回転基部４６ａが挿通される開口部が周方向に所定角度範囲で設けられており、第１可動体４６の第１基軸７２を中心した所定範囲(第１位置と第２位置との間を移動する際の回動範囲)の回動を許容するよう構成されている。また第１支持部材６４は、第１可動体４６の第１位置において下側を向く外周壁が弧状に形成されており、第１可動体４６が第２位置から第１位置に移動する際に、該第１支持部材６４によって後述する第１配線１０２をスムーズに可橈し得るようにしてある(図６参照)。
【００４１】
前記第１ラック部材６１(第１移動部材６０)には、前記第１支持部材６４の配設位置より上側に、前後方向に貫通する第１ガイド孔６７ａが形成された第１ガイド部材６７が配設されている。この第１ガイド孔６７ａは、前記第１可動体４６の第１基軸７２を中心とする弧状に形成されて左右方向に所定長さで延在しており、該第１ガイド孔６７ａに第１可動体４６の後述する前第１軸７４が移動自在に支持(連繋)されている(図１０参照)。そして、第１移動部材６０の移動に伴って前第１軸７４が第１ガイド孔６７ａ内を移動することで、第１可動体４６が前記第１基軸７２を中心として回動変位し得るようになっている。
【００４２】
前記第１軸取付基材５４に一端が係止された付勢手段としての第１引張りコイルバネ６８の他端が、前記第１ラック部材６１に係止されており、前記第１移動部材６０は、第１引張りコイルバネ６８によって常には移動位置に向けて付勢されている。
【００４３】
(第１駆動機構４７について)
前記第１装置本体４５に、前記第１移動部材６０を動作する前記第１駆動機構(駆動機構)４７が配設されている。この第１駆動機構４７は、図１２,図１３に示す如く、前記第１モータ取付基材５５に配設された駆動手段としての第１移動用モータ(駆動モータ)６９と、該第１移動用モータ６９の出力軸に配設された駆動歯車６９ａと、該駆動歯車６９ａに噛合する第１ピニオン(ピニオン)７０とを備え、該第１ピニオン７０が第１移動部材６０に設けた前記第１ラック６１ａに噛合している。すなわち、第１移動用モータ６９を正転方向および逆転方向に回転駆動することで、第１ピニオン７０と第１ラック６１ａとの噛合作用下に、第１移動部材６０が待機位置(図７参照)と移動位置(図９,図１０参照)との間を往復移動するよう構成される。なお、実施例では第１モータ取付基材５５と第１主取付基材５３の右側の側壁部５３ａとの間に駆動歯車６９ａおよび第１ピニオン７０が位置して、第１移動部材６０の右側に位置する第１ピニオン７０が第１ラック６１ａに噛合している。また、第１移動用モータ６９は前記制御手段１６０に配線接続されており(図３３参照)、後述する検出手段７１,８１,９８の検出状態に応じて制御手段１６０によって第１移動用モータ６９が駆動制御されるようになっている。実施例では、第１移動用モータ６９の回転方向について、第１移動部材６０を待機位置から移動位置に向けて移動する際の回転方向を正転方向と指称し、移動位置から待機位置に向けて移動する際の回転方向を逆転方向と指称する場合がある。
【００４４】
(前第１検出手段７１について)
前記第１ラック部材６１(第１移動部材６０)の下端には、下方に延出する検出片６１ｂが設けられており、該検出片６１ｂは、前記第１ベース部材５２(第１装置本体４５)に設けた前第１検出手段７１によって検出可能に構成されている。前第１検出手段７１は、前記制御手段１６０に配線接続されており(図３３参照)、該前第１検出手段７１の検出状態に応じて制御手段１６０が前記第１移動用モータ６９を駆動制御し得るよう構成される。前記検出片６１ｂは、第１移動部材６０の待機位置(第１可動体４６の第１位置)において前第１検出手段７１で検出されて、該前第１検出手段７１の検出信号の入力に基づいて第１移動用モータ６９を制御手段１６０が停止制御することで、第１移動部材６０を待機位置(第１可動体４６を第１位置)に停止保持し得るよう構成される。
【００４５】
(第１可動体４６について)
前記第１可動体(可動体)４６は、図１４,図１５に示す如く、略矩形板状に形成された部材であって、該第１可動体４６の長手方向の一端部に、外方に延出する回転基部４６ａが設けられている。この回転基部４６ａには、前後方向に貫通する通孔が形成された軸受筒部４６ｂが設けられると共に、該軸受筒部４６ｂの通孔に第１基軸７２が挿通されている。そして、第１基軸７２における軸受筒部４６ｂから前後に突出する軸端部が、前記第１支持部材６４を構成する前後の軸支持部材６５,６６の軸支孔６５ａ,６６ａに挿通されて回動自在に支持されている。すなわち、第１可動体４６は、第１移動部材６０に対して長手方向の一端部が前後方向に延在する第１基軸７２を介して回動自在に支持されて、前記遊技盤２０の盤面に沿って回動支点部(第１基軸７２)から離間する端部側(自由端側)が左右方向に揺動可能となっている。前記軸受筒部４６ｂに、一端が前軸支持部材６５に係止されると共に、他端が回転基部４６ａに係止された付勢手段としての第１ねじりコイルバネ７３が巻かれており、該第１ねじりコイルバネ７３によって第１可動体４６は、常には第１位置に向けて回転するように付勢されている。なお、実施例では前後に分割された一対の軸部材７２ａ,７２ａから第１基軸７２が構成されているが、該第１基軸７２は１つの部材で構成したものであってもよい。
【００４６】
前記第１可動体４６には、図１９に示す如く、前記第１基軸７２の配設位置(第１可動体４６の回動支点部)から自由端側に離れた位置に、後方に突出する前第１軸７４が設けられ、該前第１軸７４が前記第１ガイド部材６７の第１ガイド孔６７ａに移動自在に挿通されている。すなわち、第１可動体４６が第１基軸７２を中心として揺動する際には、前第１軸７４が第１ガイド孔６７ａに沿って移動するよう構成される。実施例では、前第１軸７４に鍔付きスリーブ７５が外嵌されており、前第１軸７４は鍔付きスリーブ７５のスリーブ部を介して第１ガイド孔６７ａに対して摺動自在となっている。なお、前第１軸７４には、鍔付きスリーブ７５より後側に、第１ガイド孔６７ａより大径のリング体７６が外嵌されており、該リング体７６と鍔付きスリーブ７５の鍔部とによって第１ガイド部材６７を前後から挟むことで、前第１軸７４(鍔付きスリーブ７５)の第１ガイド孔６７ａからの抜け止めが図られている。また、第１可動体４６の裏面には、前記前第１軸７４を挟んで第１基軸７２とは反対側(自由端側)に離れた位置に前第３軸(第３軸)７７が後方に向けて突設されている。実施例では、図１９に示す如く、第１可動体４６の裏面に配設された軸形成部材７８に、前第３軸７７が突設されているが、第１可動体４６に一体に前第３軸７７を設けてもよい。
【００４７】
(第１作動部材７９について)
前記第１主取付基材５３と第１軸取付基材５４との間に配設された前記前第２軸５７に、第１作動部材(作動部材)７９の長手方向の一端部が回動自在に軸支(連繋)されている。この第１作動部材７９は、図１４,図１５に示す如く、長尺な板状部材であって、該第１作動部材７９の長手方向の他端部は、前記第１可動体４６に設けた前記前第３軸７７に回動自在に支持(連繋)されている(図１０参照)。第１作動部材７９は透明に構成されて、前記第１可動体４６の第２位置において前記窓口２６ａから前側に露出した際に前記表示部１７ａの表示を隠すことがないよう構成される。第１可動体４６の第１位置(第１移動部材６０の待機位置)において、前記前第１軸７４は第１ガイド孔６７ａの右端部側(図７で左端部側)に位置すると共に、該前第１軸７４および前第３軸７７は、前記第１基軸７２を通る鉛直線より右側上方に位置して、第１可動体４６は、長手方向が上下方向に延在する直立姿勢となるよう構成される(図６参照)。そして、第１移動部材６０が待機位置から移動位置に向けて移動することで、第１可動体４６は第１移動部材６０と共に上方移動しつつ、第１作動部材７９が前第２軸５７を中心として回動することで、該第１可動体４６は前第１軸７４および前第３軸７７に対して回動して姿勢変化するよう構成される。すなわち、図９,図１０に示す如く、第１可動体４６の第２位置(第１移動部材６０の移動位置)において、前記前第１軸７４は第１ガイド孔６７ａの左端部側に位置すると共に、該前第１軸７４および前第３軸７７は、第１基軸７２を通る鉛直線より左側上方に位置して、第１可動体４６は、長手方向が斜めに延在する傾斜姿勢となるよう構成される。実施例では、第２位置において第１可動体４６は回動支点部から自由端に向けて左斜め上向きの傾斜姿勢となるよう構成されることから、第１可動体４６の第２位置での姿勢について左上向き傾斜姿勢と指称する場合もある。
【００４８】
また、前記第１可動体４６は、第１位置において前記枠状装飾体２６における窓口２６ａより右側方において長手方向を上下方向に延在した直立姿勢に保持されると共に、該第１位置の第１可動体４６の前側に前記裏装飾板４２に配設された不透明な裏装飾部品４３や装飾用発光演出装置４４の不透明な発光基板が位置して、該第１可動体４６は裏装飾部品４３や装飾用発光演出装置４４で前側が覆われて前側から視認できないようになっている。そして、第１可動体４６が第１位置から第２位置に移動することで、図３,図４に示す如く、該第１可動体４６は前記窓口２６ａの略中央部に位置して前側に露出するようになっている。また、前記第１移動部材６０に下端部が回動自在に支持されると共に、該支持部から離間する部位が前記第１作動部材７９で回動自在に支持された第１可動体４６は、第１位置と第２位置との間を、前記空間Ｓにおける裏装飾板４２側に偏倚した第１の移動領域を遊技盤２０の盤面に沿って移動するよう構成される。
【００４９】
前記第１作動部材７９は、図７に示す如く、前記前第２軸５７および前第３軸７７を結ぶ線分Ｌに対して当該第１作動部材７９の回転軸線方向(実施例では前後方向)と交差する方向に屈曲するように形成されている。実施例では、前記第１可動体４６の第１位置において、前記線分Ｌから左側(図７では右側)に逃げるように第１作動部材７９が屈曲形成されて、該屈曲部から前第２軸５７との支持部(連繋部)までの第１板部７９ａの長さは、該屈曲部から前第３軸７７との支持部(連繋部)までの第２板部７９ｂの長さより短かく設定される。そして、第１可動体４６の第１位置において、第１作動部材７９の第２板部７９ｂが、略鉛直な姿勢となるよう構成される。また、第１板部７９ａおよび第２板部７９ｂは、図１１,図１４,図１５に示す如く、第１作動部材７９の回転軸線方向(前後方向)に屈曲するように形成されて、当該第１作動部材７９の前後方向の剛性を高め、該第１作動部材７９で支える第１可動体４６の前後方向の変位を抑制し得るようにしてある。第１作動部材７９の前後方向の屈曲形状を具体的に説明すると、前記第１板部７９ａが当該第１板部７９ａの長手方向の中間において前側から後側に向けて屈曲されると共に、第２板部７９ｂが当該第２板部７９ｂの長手方向の中間より前第３軸７７に対する支持部側に偏倚した位置で後側から前側に向けて屈曲されている。すなわち、第１作動部材７９は、長手方向の２箇所で前後方向に屈曲されている。
【００５０】
前記第１作動部材７９には、前記第１板部７９ａにおける第２板部７９ｂとの連設部側の端部に、前記第１主取付基材５３(第１装置本体４５)に設けた第１規制孔５８に移動自在に挿通される第１被規制部(被規制部)８０が設けられている。この第１被規制部８０は、第１板部７９ａに設けられた軸部材８０ａと、該軸部材８０ａに外嵌された摺動部材８０ｂとから構成され、該摺動部材８０ｂが第１規制孔５８内を摺動するよう構成される。そして、第１被規制部８０(摺動部材８０ｂ)が第１規制孔５８を画成する下端の壁に当接して第１作動部材７９の回動が規制されることで、第１可動体４６が第１位置に保持され、第１被規制部８０(摺動部材８０ｂ)が第１規制孔５８を画成する上端の壁に当接して第１作動部材７９の回動が規制されることで、第１可動体４６が第２位置に保持されるようになっている。
【００５１】
(前第２検出手段８１について)
前記第１作動部材７９の第１板部７９ａには、図９,図１０に示す如く、外方(上方)に延出する検出片７９ｃが設けられており、該検出片７９ｃは、前記第１主取付基材５３(第１装置本体４５)に配設した前第２検出手段８１によって検出可能に構成されている。前第２検出手段８１は、前記制御手段１６０に配線接続されており(図３３参照)、該前第２検出手段８１の検出状態に応じて制御手段１６０が前記第１移動用モータ６９を駆動制御し得るよう構成される。前記検出片７９ｃは、第１可動体４６の第２位置(第１移動部材６０の移動位置)において前第２検出手段８１で検出されて、該前第２検出手段８１の検出信号の入力に基づいて第１移動用モータ６９を制御手段１６０が停止制御することで、第１可動体４６を第２位置(第１移動部材６０を移動位置)に停止保持し得るよう構成される。
【００５２】
(第１装飾部５０について)
前記第１可動体４６には、前記前第３軸７７が設けられる位置より自由端側に偏倚した位置で、後述する第２可動体１０４と第２位置において前後に重なる交差部に、光透過性の第１装飾部(装飾部)５０が配設されている(図３０,図３１,図３２参照)。この第１装飾部５０は、第１可動体４６の前側に位置して該第１可動体４６に対して前後方向に延在する回転軸回りに回動自在に支持されている。すなわち、図１６,図１７に示す如く、第１可動体４６には前後方向に貫通する貫通孔４６ｃが形成されており、前方に突出する筒部８２ａが形成された回転用作動歯車８２が、該筒部８２ａを貫通孔４６ｃに後側から挿通した状態で第１可動体４６に回動自在に支持される。また、第１装飾部５０の裏面に、後方に突出する複数の係合爪５０ａが周方向に離間して突設されており、該係合爪５０ａを貫通孔４６ｃに挿通された回転用作動歯車８２の筒部８２ａに前側から挿通して該作動歯車８２に係合することで、該第１装飾部５０と回転用作動歯車８２とが一体で第１可動体４６に対して回動自在に支持されるようになっている。
【００５３】
前記第１装飾部５０は、図１６,図１７に示す如く、実施例では星型多角形である星型六角形形状に形成され、中心位置に中央明輝部５０ｂが設けられると共に、各三角突部に外周明輝部５０ｃが夫々設けられている。実施例では、中央明輝部５０ｂの裏面に光を拡散するレンズカットが施されると共に、外周明輝部５０ｃは着色されている。前記回転用作動歯車８２には、筒部８２ａの内径寸法で前後方向に貫通する導光孔８２ｂが形成されており、後述する第２可動体１０４に配設された発光体１３９ａからの光を該導光孔８２ｂを通して第１装飾部５０における中央明輝部５０ｂに照射させ得るよう構成されている(図３２参照)。また、前記第１可動体４６は、光透過性に構成されており、第２可動体１０４に配設された発光体１３９ｂからの光が第１可動体４６を透過し、該光が第１装飾部５０における各外周明輝部５０ｃに照射され得るようになっている。すなわち、実施例では、第１可動体４６に配設された第１装飾部５０を、第２可動体１０４に配設された発光体１３９ａ,１３９ｂで明輝して発光演出を行い得るよう構成されている。
【００５４】
(回転機構５１について)
前記第１可動体４６の裏面に、前記第１装飾部５０を回転駆動する回転機構５１が配設されている。回転機構５１は、図１６,図１７に示す如く、第１可動体４６の裏面に配設された駆動手段としての回転用モータ８３と、該回転用モータ８３の出力軸に連結された駆動歯車８３ａの回転力を前記回転用作動歯車８２に伝達する複数の歯車からなる歯車列８４とから構成され、回転用モータ８３を所定方向に回転駆動することで、歯車列８４および回転用作動歯車８２を介して第１装飾部５０が回転するよう構成される。なお、回転用モータ８３は、前記制御手段１６０に配線接続されており(図３３参照)、該制御手段１６０によって回転用モータ８３が駆動制御されるようになっている。
【００５５】
(第１可動部材４８について)
前記第１可動体４６に、該第１可動体４６の長手方向に移動自在に第１可動部材４８が配設されている。第１可動部材４８は、相互に近接離間移動する一対の第１意匠部材８５,８６から構成されており、該第１意匠部材８５,８６が第１可動体４６の前側において長手方向に隣り合って配設される。各第１意匠部材８５,８６は、図１８,図１９に示す如く、第１基体８７と、該第１基体８７の前側に配設された第１意匠体８８と、第１基体８７と第１意匠体８８との間に配設された第１発光基板８９,９０とを備える。第１意匠体８８は、略矩形状に形成された主意匠部８８ａと、該主意匠部８８ａの外縁に設けられて他方の第１意匠部材８５,８６から離間する方向に延出する副意匠部８８ｂとを備える。第１意匠体８８は光透過性の部材で形成されると共に、該部材の表面に非光透過性のメッキ等を施すことで、各意匠部８８ａ,８８ｂに異なる意匠が表わされている。前記第１基体８７と第１意匠体８８との間に配設される第１発光基板８９,９０は、該第１意匠体８８の主意匠部８８ａに対応する主第１発光基板８９と、副意匠部８８ｂに対応する副第１発光基板９０とからなり、両第１発光基板８９,９０の前面に実装した複数のＬＥＤ等の発光体８９ａ,９０ａを発光することで、対応する意匠部８８ａ,８８ｂを明輝し得るよう構成される。実施例では、２つの第１意匠部材８５,８６を区別する場合は、第１可動体４６の自由端側に配設される第１意匠部材８５について自由端側第１意匠部材８６と指称し、第１可動体４６の回動支点部側に配設される第１意匠部材８６について支点側第１意匠部材８６と指称する場合がある。
【００５６】
前記一対の第１意匠部材８５,８６は、主意匠部８８ａ,８８ａにおける副意匠部８８ｂ,８８ｂが延出していない端部同士が対向するように配置されており、両第１意匠部材８５,８６が近接した非作動位置では、図３,図６,図１９に示す如く、前記第１可動体４６の前側に配設された前記第１装飾部５０を両主意匠部８８ａ,８８ａで前側から覆い、両第１意匠部材８５,８６が離間した作動位置では、図４,図９,図３１に示す如く、両主意匠部８８ａ,８８ａが第１装飾部５０の前側から移動して該第１装飾部５０を前側に露出するよう構成される。なお、第１意匠部材８５,８６の非作動位置では、不透明な前記主第１発光基板８９,８９が第１装飾部５０の前側に位置して、該第１装飾部５０は前側から視認できないよう第１意匠部材８５,８６(第１可動部材４８)で隠されるようになっている。また、実施例の第１可動部材４８では、自由端側第１意匠部材８５は、非作動位置において第１可動体４６の自由端部(端部)から外方へ突出するように配置されており、該自由端側第１意匠部材８５が作動位置に移動することで第１可動体４６の自由端部から外方への突出量が大きくなるよう構成されている(図４,図９,図３１参照)。
【００５７】
(第１可動部材４８の組付け構造について)
前記第１可動体４６に、図１８,図１９に示す如く、前後方向に貫通して該第１可動体４６の長手方向に所定長さで延在する自由端側長孔４６ｄが複数箇所(実施例では３箇所)に形成されると共に、前後方向に貫通して該第１可動体４６の長手方向に所定長さで延在する支点側長孔４６ｅが複数箇所(実施例では２箇所)に形成されている。前記自由端側第１意匠部材８５の第１基体８７には、第１可動体４６に形成した前記各自由端側長孔４６ｄに対応する位置の夫々に、該自由端側長孔４６ｄに摺動自在に挿通支持される摺動部材９１が配設されており、該自由端側第１意匠部材８５は、第１可動体４６に対して複数の自由端側長孔４６ｄに沿って長手方向に移動し得るように支持される。また、前記支点側第１意匠部材８６の第１基体８７には、第１可動体４６に形成した前記各支点側長孔４６ｅに対応する位置の夫々に、該支点側長孔４６ｅに摺動自在に挿通支持される摺動部材９１が配設されており、該支点側第１意匠部材８６は、第１可動体４６に対して複数の支点側長孔４６ｅに沿って長手方向に移動し得るように支持される。
【００５８】
前記自由端側第１意匠部材８５の第１基体８７には、支点側第１意匠部材８６の第１基体８７との対向端から第１可動体４６の回動支点部側に延出する自由端側延出部９２が設けられ、該自由端側延出部９２における一側縁に移動用ラック９２ａが該自由端側延出部９２の延在方向に所定長さで形成されている。また、支点側第１意匠部材８６の第１基体８７には、前記自由端側延出部９２における移動用ラック９２ａが形成される一側縁と対向する側縁に、自由端側延出部９２の延在方向に所定長さで移動用ラック９３が形成されている。そして、両移動用ラック９２ａ,９３が、第１可動体４６に回動自在に支持された後述する進退用作動歯車９７に対して回転中心を挟む両側で噛合し、該進退用作動歯車９７の回転によって両第１意匠部材８５,８６が相互に逆方向に移動するよう構成される。また、支点側第１意匠部材８６の第１基体８７には、該第１基体８７における第１可動体４６の回動支点部側の端部から延出する支点側延出部９４が形成されており、該支点側延出部９４の一側縁に、後述する進退用駆動歯車９６に噛合する駆動用ラック９４ａが形成されている。なお、図８に示す如く、自由端側第１意匠部材８５の自由端側延出部９２における移動用ラック９２ａが形成される領域に近接する位置に前記摺動部材９１が配設されると共に、支点側第１意匠部材８６における移動用ラック９３が形成される領域に近接する位置および支点側延出部９４における駆動用ラック９４ａが形成される領域に近接する位置に前記摺動部材９１が夫々配設されており、該摺動部材９１,９１が対応する長孔４６ｄ,４６ｅに沿って案内されることで、両第１意匠部材８５,８６が移動する際に両移動用ラック９２ａ,９３と進退用作動歯車９７との噛合状態および駆動用ラック９４ａと進退用駆動歯車９６との噛合状態を適正に保持するようにしてある。
【００５９】
前記自由端側延出部９２は、前記第１可動体４６における貫通孔４６ｃの形成位置から外れた位置を該第１可動体４６の長手方向に沿って延在して、両第１意匠部材８５,８６が相互に離間した際に、両第１意匠部材８５,８６の間に臨む自由端側延出部９２によって前記第２可動体１０４の発光体１３９ａからの光が第１装飾部５０の中央明輝部５０ｂに照射されるのを阻害しないよう構成してある。また、自由端側延出部９２は透明に形成されており、両第１意匠部材８５,８６が相互に離間した際に、両第１意匠部材８５,８６の間に臨む自由端側延出部９２によって第２可動体１０４の発光体１３９ｂからの光が第１装飾部５０の外周明輝部５０ｃに照射されるのを阻害しないよう構成されている。
【００６０】
(第１進退機構４９について)
前記第１可動体４６に、前記第１可動部材４８を動作させる前記第１進退機構(進退機構)４９が配設されている。第１進退機構４９は、図８,図１８,図１９に示す如く、第１可動体４６の前面に後向きに配設された駆動手段としての第１進退用モータ９５と、該第１進退用モータ９５の出力軸に配設された駆動歯車９５ａと、第１可動体４６に回動自在に支持されて該駆動歯車９５ａに噛合する進退用駆動歯車９６と、第１可動体４６に回動自在に支持されて前記支点側第１意匠部材８６の第１基体８７および自由端側第１意匠部材８５の第１基板８７に設けた移動用ラック９２ａ,９３の夫々に噛合する進退用作動歯車９７とを備え、進退用駆動歯車９６が前記支点側延出部９４に形成した前記駆動用ラック９４ａに噛合している。実施例の進退用駆動歯車９６は、第１可動体４６を挟んで前後に位置する歯車を軸部材で連結して構成されたものであって、第１可動体４６の後側に位置する歯車が駆動歯車９５ａに噛合すると共に、第１可動体４６の前側に位置する歯車が駆動用ラック９４ａに噛合している。すなわち、第１進退用モータ９５を正転方向および逆転方向に回転駆動することで、進退用駆動歯車９６と駆動用ラック９４ａとの噛合作用下に、支点側第１意匠部材８６が非作動位置と作動位置との間を往復移動する。また、支点側第１意匠部材８６の移動用ラック９３と、自由端側第１意匠部材８５の移動用ラック９２ａとが進退用作動歯車９７に噛合する構成によって、支点側第１意匠部材８６が非作動位置と作動位置との間を往復移動するのに連動して自由端側第１意匠部材８５も非作動位置と作動位置との間を往復移動するよう構成される。実施例では、第１進退用モータ９５の回転方向について、両意匠部材８５,８６を非作動位置から作動位置に向けて移動する際の回転方向を正転方向と指称し、作動位置から非作動位置に向けて移動する際の回転方向を逆転方向と指称する場合がある。
【００６１】
(前第３検出手段９８について)
前記支点側第１意匠部材８６の前記支点側延出部９４(第１可動部材４８)に、前記第１可動体４６の回動支点部側に向けて延出する検出片９４ｂが設けられており、該検出片９４ｂは、第１可動体４６に設けた前第３検出手段９８によって検出可能に構成されている。前第３検出手段９８は、前記制御手段に配線接続されており(図３３参照)、該前第３検出手段９８の検出状態に応じて制御手段１６０が前記第１進退用モータ９５を駆動制御し得るよう構成される。前記検出片９４ｂは、支点側第１意匠部材８６(第１可動部材４８)の作動位置において前第３検出手段９８で検出されて、該前第３検出手段９８の検出信号の入力に基づいて第１進退用モータ９５を制御手段１６０が停止制御することで、両第１意匠部材８５,８６(第１可動部材４８)を相互に離間した作動位置に停止保持し得るよう構成される。また制御手段１６０は、第１進退用モータ９５を逆転方向に回転駆動して両第１意匠部材８５,８６を作動位置から非作動位置に向けて移動することで、前記前第３検出手段９８が検出状態から非検出状態に切り替わることに基づいて第１進退用モータ９５を該制御手段１６０が停止制御することで、両第１意匠部材８５,８６(第１可動部材４８)を非作動位置に停止保持し得るよう構成されている。
【００６２】
(配線処理構造について)
前記第１可動体４６には、第１位置において窓口２６ａ側(第２位置を向く側)の下端部に、板面を上下方向に延在した立てた姿勢で可動側第１中継基板９９が配設されており(図７参照)、該可動側第１中継基板９９には、第１可動体４６に配設された前記第１発光基板８９,９０が配線を介して接続されている。また、前記第１ベース部材５２の下端部に、図９に示す如く、固定側第１中継基板１００が取り付けられる第１基板取付部材１０１が配設されている。第１基板取付部材１０１は、上下方向に延在する後壁１０１ａの下端縁から前方に延出するように底壁１０１ｂが設けられており、該底壁１０１ｂにおける第１可動体４６の第１位置において前記可動側第１中継基板９９の下方に臨む位置に、板面を左右方向に延在した寝かせた姿勢で前記固定側第１中継基板１００が配設されている。そして、前記可動側第１中継基板９９に一端が接続されて該可動側第１中継基板９９の下端から下方に延出する第１配線１０２の他端が、固定側第１中継基板１００の右端部側に接続されている。この第１配線１０２としては、フラットケーブル(フレキシブルフラットケーブル)が採用されており、該第１配線１０２は、幅方向を前後向きとした姿勢で両第１中継基板９９,１００の間を引き回されている。
【００６３】
前記可動側第１中継基板９９は、図９に示す如く、前記第１可動体４６の第２位置において第１配線１０２が延出する端部が右斜め下方を向いており、該端部から延出する第１配線１０２は、両第１中継基板９９,１００の接続部間の途中の部位が前記第１支持部材６４の下方に臨む状態となるよう構成される。そして、第１可動体４６が第２位置から第１位置に移動する際に、第１支持部材６４が第１配線１０２を下側に押さえつつ該第１配線１０２を可橈して、第１可動体４６の第１位置では第１支持部材６４と第１基板取付部材１０１の底壁１０１ｂとの間に第１配線１０２を保持するようになっている(図６参照)。
【００６４】
(第２可動演出装置Ｍ２について)
前記第１可動演出装置Ｍ１と対をなす前記第２可動演出装置Ｍ２は、第１可動演出装置Ｍ１が備える回転機構５１に対応する機構を備えていない点で異なるが、その他の基本的な構成は第１可動演出装置Ｍ１と同じであると共に、各部材の配置関係が、遊技盤２０の左右方向の中央を通る縦中央線を挟んで第１可動演出装置Ｍ１とは略対称になっている。そこで、第２可動演出装置Ｍ２に関しては、第１可動演出装置Ｍ１と構成が異なる部分について詳細に説明して共通部分については簡略して説明するものとする。
【００６５】
前記第２可動演出装置Ｍ２は、図２２に示す如く、前記設置部材２２に取り付けられる第２装置本体(装置本体)１０３と、該第２装置本体１０３に支持されて前記第１可動演出装置Ｍ１から離間する第１位置と近接する第２位置との間を移動可能な第２可動体１０４と、該第２可動体１０４を動作させる第２駆動機構１０５と、第２可動体１０４に移動自在に配設された第２可動部材１０６と、該第２可動部材１０６を動作させる第２進退機構１０７とを備えている。
【００６６】
(第２装置本体１０３について)
前記第２装置本体１０３は、図２５,図２６に示す如く、前記第１装置本体４５と同様に、前記設置部材２２の背面板１８にネジ止め固定される金属板からなる第２ベース部材１０８と、該第２ベース部材１０８の前面に配設されて各種部品が取り付けられる複数の取付基材１０９,１１０,１１１と、第２ベース部材１０８の前面に配設される第２レール部材１１２とを備える。第２ベース部材１０８に配設される第２レール部材１１２は、該第２ベース部材１０８の左右方向の略中央より右側(窓口２６ａ側)に偏った位置において上下方向に延在するように配設されている。
【００６７】
前記第２ベース部材１０８の前面には、前記第１主取付基材５３と同様に一対の側壁部１０９ａ,１０９ａの上端を上壁部１０９ｂで連設した下向きコ字状の第２主取付基材１０９が配設されている。第２主取付基材１０９には、図２２に示す如く、上部左端に、該第２主取付基材１０９との間に後第２軸１１３を支持する第２軸取付基材１１０が配設されて、該後第２軸１１３に後述する第２作動部材１３４の一端部が回動自在に支持される。また第２主取付基材１０９には、図２５,図２６に示す如く、上部右端に、前記後第２軸１１３を中心とする弧状に形成された第２規制孔(規制部)１１５が上下方向に所定長さで延在しており、該第２規制孔１１５によって第２作動部材１３４の回動範囲が規制されるようになっている。また、第２主取付基材１０９の左側の側壁部１０９ａの前面に第２モータ取付基材１１１が配設され、該第２モータ取付基材１１１に前記第２駆動機構１０５を構成する第２移動用モータ１１６(後述)が取り付けられる。なお、第２モータ取付基材１１１に配設された第２緩衝部材１１７に、前記第２可動体１０４が第２位置から第１位置に移動した際に当接することで、該第２可動体１０４に加わる衝撃を緩和し得るよう構成してある。
【００６８】
(第２移動部材１１８について)
前記第２レール部材１１２に移動自在に支持される第２移動部材(移動部材)１１８は、第２駆動機構１０５によって下方の待機位置(図２０)と上方の移動位置(図２２,図２３)との間を直線的に往復移動される。第２移動部材１１８は、前記第１移動部材６０と同様に、図２５,図２６に示す如く、一側面(左側面)に上下方向に延在する第２ラック(ラック)１１９ａが設けられた第２ラック部材１１９の後側に第２補強部材１２０および第２スライド部材１２１を配設して構成され、該第２スライド部材１２１が第２レール部材１１２に摺動自在に支持されている。また、第２ラック部材１１９(第２移動部材１１８)の下端部(移動方向の一端部)に、前記第２可動体１０４の後述する回転基部１０４ａに設けた第２基軸１２９を回動自在に支持する前後の軸支持部材１２３,１２４からなる第２支持部材１２２が配設されている。
【００６９】
前記第２ラック部材１１９(第２移動部材１１８)に配設された前記第２支持部材１２２には、前記第２基軸１２９の支持位置より上側に第２ガイド部材１２５が設けられている。第２ガイド部材１２５には、前記第２可動体１０４の後述する後第１軸１３１が移動自在に支持される第２ガイド孔１２５ａが、第２可動体１０４の第２基軸１２９を中心とする弧状に形成されて左右方向に所定長さで延在している。そして、第２移動部材１１８の移動に伴って後第１軸１３１が第２ガイド孔１２５ａ内を移動することで、第２可動体１０４が前記第２基軸１２９を中心として回動変位し得るようになっている。なお、実施例では、第２支持部材１２２に第２ガイド部材１２５を一体に設けたが、該第２ガイド部材１２５を第１可動演出装置Ｍ１と同様に別体で構成したものであってもよい。
【００７０】
前記第２モータ取付基材１１１の上端部には、前記第２ラック部材１１９の前側に臨む延出片１１１ａが設けられており、該延出片１１１ａに一端が係止された付勢手段としての第２引張りコイルバネ１２６の他端が、第２ラック部材１１９に係止されており、前記第２移動部材１１８は、第２引張りコイルバネ１２６によって常には移動位置に向けて付勢されている。また、第２ラック部材１１９の前面には、第２引張りコイルバネ１２６が上下方向に延在する領域に対応して後側に凹む凹溝１１９ｂが上下方向に延在するように形成されており、第２引張りコイルバネ１２６の後部側が凹溝１１９ｂに臨んだ状態で該コイルバネ１２６が伸縮するよう構成される。すなわち、第２移動部材１１８が移動する際に第２引張りコイルバネ１２６が左右方向に変位するのを防止して、該コイルバネ１２６が他部材と干渉することで第２移動部材１１８の移動が阻害されるのを防ぐようにしている。
【００７１】
(第２駆動機構１０５について)
前記第２装置本体１０３に配設される第２駆動機構(駆動機構)１０５は、図２５,図２６に示す如く、前記第２モータ取付基材１１１に配設された駆動手段としての第２移動用モータ(駆動モータ)１１６と、該第２移動用モータ１１６の出力軸に配設された駆動歯車１１６ａと、該駆動歯車１１６ａに噛合する第２ピニオン(ピニオン)１２７とを備え、該第２ピニオン１２７が第２移動部材１１８に設けた前記第２ラック１１９ａに噛合している。すなわち、第２移動用モータ１１６を正転方向および逆転方向に回転駆動することで、第２ピニオン１２７と第２ラック１１９ａとの噛合作用下に、第２移動部材１１８が待機位置(図２０参照)と移動位置(図２２,図２３参照)との間を往復移動するよう構成される。また、第２移動用モータ１１６は前記制御手段１６０に配線接続されており(図３３参照)、後述する検出手段１２８,１３６,１５３の検出状態に応じて制御手段１６０によって第２移動用モータ１１６が駆動制御されるようになっている。実施例では、第２移動用モータ１１６の回転方向について、第２移動部材１１８を待機位置から移動位置に向けて移動する際の回転方向を正転方向と指称し、移動位置から待機位置に向けて移動する際の回転方向を逆転方向と指称する場合がある。
【００７２】
(後第１検出手段１２８について)
前記第２装置本体１０３に設けられて前記制御手段１６０に配線接続される後第１検出手段(第１検出手段)１２８は(図２２参照)、前記第２ガイド部材１２５(第２移動部材１１８)の下端に設けた検出片１２５ｂを、第２移動部材１１８の待機位置(第２可動体１０４の第１位置)において検出するよう構成される。そして、後第１検出手段１２８の検出信号の入力に基づいて第２移動用モータ１１６を制御手段１６０が停止制御することで、第２移動部材１１８を待機位置(第２可動体１０４を第１位置)に停止保持し得るよう構成される。
【００７３】
(第２可動体１０４について)
前記第２可動体(可動体)１０４の長手方向の一端部に設けられた回転基部１０４ａに軸受筒部１０４ｂが設けられ、該軸受筒部１０４ｂに挿通支持された第２基軸１２９が、前記第２支持部材１２２(軸支持部材１２３,１２４の軸支孔１２３ａ,１２４ａ)に回動自在に支持されている。すなわち、第２可動体１０４は、第２移動部材１１８に対して長手方向の一端部が前後方向に延在する第２基軸１２９を介して回動自在に支持されて、遊技盤２０の盤面に沿って回動支点部から離間する端部側(自由端側)が左右方向に揺動可能となっている。また、第２可動体１０４は、第２支持部材１２２の後軸支持部材１２４に設けた軸受筒部に巻かれた第２ねじりコイルバネ１３０によって常には第１位置に向けて回転するように付勢されている。
【００７４】
前記第２可動体１０４には、前記第２基軸１２９の配設位置(第２可動体１０４の回動支点部)から自由端側に離れた位置に、後方に突出する後第１軸１３１が設けられ、該第１軸１３１に外嵌した鍔付きスリーブ１３２を介して後第１軸１３１が前記第２ガイド部材１２５の第２ガイド孔１２５ａ内で摺動自在に移動し得るよう構成される。また、第２可動体１０４の裏面には、図２８に示す如く、前記後第１軸１３１を挟んで第２基軸１２９とは反対側(自由端側)に離れた位置に後第３軸１３３が後方に向けて突設されている。なお、後第１軸１３１には、鍔付きスリーブ１３２より後側に、第２ガイド孔１２５ａより大径のリング体１３２ａが外嵌されており、該リング体１３２ａと鍔付きスリーブ１３２の鍔部とによって後第１軸１３１の第２ガイド孔１２５ａからの抜け止めが図られている。
【００７５】
(第２作動部材１３４について)
前記第２装置本体１０３に配設された前記後第２軸１１３に、第２作動部材(作動部材)１３４の長手方向の一端部が回動自在に軸支(連繋)されている。この第２作動部材１３４は、図２５,図２６に示す如く、長尺な板状部材であって、該第２作動部材１３４の長手方向の他端部は、前記第２可動体１０４に設けた前記後第３軸１３３に回動自在に支持(連繋)されている(図２３参照)。第２作動部材１３４は透明に構成されて、前記第２可動体１０４の第２位置において前記窓口２６ａから前側に露出した際に前記表示部１７ａの表示を隠すことがないよう構成される。第２可動体１０４の第１位置(第２移動部材１１８の待機位置)において、前記後第１軸１３１は第２ガイド孔１２５ａの左端部側(図２０では右端部側)に位置すると共に、該後第１軸１３１および後第３軸１３３は、第２基軸１２９を通る鉛直線より左側上方に位置して、第２可動体１０４は、長手方向が上下方向に延在する直立姿勢となるよう構成される。そして、第２移動部材１１８が待機位置から移動位置に向けて移動することで、図２３に示す如く、第２可動体１０４は第２移動部材１１８と共に上方移動しつつ、第２作動部材１３４が後第２軸１１３を中心として回動することで、該第２可動体１０４は後第１軸１３１および後第３軸１３３に対して回動して姿勢変化するよう構成される。すなわち、図２３に示す如く、第２可動体１０４の第２位置(第２移動部材１１８の移動位置)において、前記後第１軸１３１は第２ガイド孔１２５ａの右端部側に位置すると共に、該後第１軸１３１および後第３軸１３３は、第２基軸１２９を通る鉛直線より右側上方に位置して、第２可動体１０４は、長手方向が斜めに延在する傾斜姿勢となるよう構成される。実施例では、第２位置において第２可動体１０４は回動支点部から自由端に向けて右斜め上向きの傾斜姿勢となるよう構成されることから、第２可動体１０４の第２位置での姿勢について右上向き傾斜姿勢と指称する場合もある。
【００７６】
また、前記第２可動体１０４は、第１位置において前記枠状装飾体２６における窓口２６ａより左側方において長手方向を上下方向に延在した直立姿勢に保持されると共に、該第１位置の第２可動体１０４の前側に前記裏装飾板４２に配設された不透明な裏装飾部品４３や装飾用発光演出装置４４の不透明な発光基板が位置して、該第２可動体１０４は裏装飾部品４３や装飾用発光演出装置４４で前側が覆われて前側から視認できないようになっている。そして、第２可動体１０４が第１位置から第２位置に移動することで、図３,図４に示す如く、該第２可動体１０４は前記窓口２６ａの略中央部に位置して前側に露出するようになっている。また、前記第２移動部材１１８に下端部が回動自在に支持されると共に、該支持部から離間する部位が前記第２作動部材１３４で回動自在に支持された第２可動体１０４は、第１位置と第２位置との間を、前記空間Ｓにおける背面板１８側に偏倚した前記第１の移動領域の後側の第２の移動領域を遊技盤２０の盤面に沿って移動するよう構成される。すなわち、前記第１可動体４６と第２可動体１０４とは、前後方向に離間する第１の移動領域と第２の移動領域とを移動することで第２位置において相互に干渉することなく前後に重なるよう構成される(図３０参照)。また、第１可動体４６は、前述したように第２位置において左上向き傾斜姿勢となるのに対し、第２可動体１０４は第２位置において右上向き傾斜姿勢となることで、図３,図４に示す如く、両可動体４６,１０４は窓口２６ａの中央部において前後に重なった状態でＸ状に交差する形態となるよう構成される。
【００７７】
前記第２作動部材１３４は、図２０に示す如く、前記後第２軸１１３および後第３軸１３３を結ぶ線分Ｌ２に対して当該第２作動部材１３４の回転軸線方向と交差する方向に屈曲するように形成されている。実施例では、前記第２可動体１０４の第１位置において、前記線分Ｌ２から右側(図２０では左側)に逃げるように第２作動部材１３４が屈曲形成されて、該屈曲部から後第２軸１１３の支持部(連繋部)までの第１板部１３４ａの長さは、該屈曲部から後第３軸１３３との支持部(連繋部)までの第２板部１３４ｂの長さより短かく設定される。そして、第２可動体１０４の第１位置において、第２作動部材１３４の第２板部１３４ｂが、略鉛直な姿勢となるよう構成される。また、第１板部１３４ａおよび第２板部１３４ｂは、図２４,図２５,図２６に示す如く、第２作動部材１３４の回転軸線方向(前後方向)に屈曲するように形成されて、当該第２作動部材１３４の前後方向の剛性を高め、該第２作動部材１３４で支える第２可動体１０４の前後方向の変位を抑制し得るようにしてある。第２作動部材１３４の前後方向の屈曲形状を具体的に説明すると、前記第１板部１３４ａが当該第１板部１３４ａの長手方向の中間において前側から後側に向けて屈曲されると共に、第２板部１３４ｂが当該第２板部１３４ｂの長手方向の中間より後第３軸１３３に対する支持部側に偏倚した位置で後側から前側に向けて屈曲されている。すなわち、第２作動部材１３４は、前記第１作動部材７９と同様に長手方向の２箇所で前後方向に屈曲されている。
【００７８】
前記第２作動部材１３４には、前記第１板部１３４ａにおける第２板部１３４ｂとの連設部側の端部に、該第１板部１３４ａに設けられた軸部材１３５ａと、該軸部材１３５ａに外嵌された摺動部材１３５ｂとからなる第２被規制部(被規制部)１３５が設けられ、該第２被規制部１３５の摺動部材１３５ｂが前記第２主取付基材１０９(第２装置本体１０３)に設けた第２規制孔１１５に摺動自在に挿通されている。そして、第２被規制部１３５(摺動部材１３５ｂ)が第２規制孔１１５を画成する下端の壁に当接して第２作動部材１３４の回動が規制されることで、第２可動体１０４が第１位置に保持され、第２被規制部１３５(摺動部材１３５ｂ)が第２規制孔１１５を画成する上端の壁に当接して第２作動部材１３４の回動が規制されることで、第２可動体１０４が第２位置に保持されるよう構成される。
【００７９】
(後第２検出手段１３６について)
前記第２装置本体１０３に設けられて前記制御手段１６０に配線接続される後第２検出手段(第２検出手段)１３６(図２２参照)は、前記第２作動部材１３４に設けられた検出片１３４ｃを、第２移動部材１１８の移動位置(第２可動体１０４の第２位置)において検出するよう構成される。そして、後第２検出手段１３６の検出信号の入力に基づいて前記第２移動用モータ１１６を制御手段１６０が停止制御することで、第２移動部材１１８を移動位置(第２可動体１０４を第２位置)に停止保持し得るよう構成される。
【００８０】
(発光演出装置１３７について)
前記第２可動体１０４には、前記後第３軸１３３が設けられる位置より自由端側に偏倚した位置で、前記第１可動体４６と第２位置において前後に重なる交差部に発光演出装置１３７が配設されている。この発光演出装置１３７は、図２７,図２８に示す如く、光透過性で第２可動体１０４の前面にネジ止め固定される第２装飾部(装飾部,発光部)１３８と、第２可動体１０４の裏面に配設された発光基板１３９と、該発光基板１３９の前面に実装したＬＥＤ等の複数の発光体１３９ａ,１３９ｂとから構成される。第２装飾部１３８は、実施例では前記第１装飾部５０と同じ星型多角形である星型六角形形状に形成され、中心位置に中央明輝部１３８ａが設けられると共に、各三角突部に外周明輝部１３８ｂが夫々設けられている。第２可動体１０４には、第２装飾部１３８の中央明輝部１３８ａと対応する位置に前後方向に貫通する中央貫通孔１０４ｃが形成されると共に、第２装飾部１３８の各外周明輝部１３８ｂと対応する位置の夫々に前後方向に貫通する外周貫通孔１０４ｄが形成されている。発光基板１３９に実装される発光体１３９ａ,１３９ｂは、中央貫通孔１０４ｃと対応する位置に配置された中央発光体１３９ａと、各外周貫通孔１０４ｄと対応する位置の夫々に配置された外周発光体１３９ｂとからなり、各発光体１３９ａ,１３９ｂからの光は、対応する貫通孔１０４ｃ,１０４ｄを通って第２装飾部１３８の対応する明輝部１３８ａ,１３８ｂに照射されて該明輝部１３８ａ,１３８ｂを明輝させ得るよう構成してある。
【００８１】
(第２可動部材１０６について)
前記第２可動体１０４に、該第２可動体１０４の長手方向に移動自在に第２可動部材(可動部材)１０６が配設されている。第２可動部材１０６は、図２７,図２８に示す如く、相互に近接離間移動する一対の第２意匠部材１４０,１４１から構成されており、該第２意匠部材１４０,１４１が第２可動体１０４の前側において長手方向に隣り合って配設される。各第２意匠部材１４０,１４１は、図２７,図２８に示す如く、第２基体１４２と、該第２基体１４２の前側に配設された第２意匠体１４３と、第２基体１４２と第２意匠体１４３との間に配設された第２発光基板１４４,１４５とを備える。第２意匠体１４３は、前記第１意匠体８８と同様に主意匠部１４３ａと副意匠部１４３ｂとを備え、各意匠部１４３ａ,１４３ｂに施される意匠が異なると共に、第１意匠体８８の意匠とも異なるようにしてある。第２発光基板１４４,１４５は、主意匠部１４３ａに対応する主第２発光基板１４４と、副意匠部１４３ｂに対応する副第２発光基板１４５とからなり、両第２発光基板１４４,１４５の前面に実装した複数のＬＥＤ等の発光体１４４ａ,１４５ａを発光することで、対応する意匠部１４３ａ,１４３ｂを明輝し得るよう構成される。実施例では、２つの第２意匠部材１４０,１４１を区別する場合は、第２可動体１０４の自由端側に配設される第２意匠部材１４０について自由端側第２意匠部材１４０と指称し、第２可動体１０４の回動支点部側に配設される第２意匠部材１４１について支点端側第２意匠部材１４１と指称する場合がある。
【００８２】
前記一対の第２意匠部材１４０,１４１は、主意匠部１４３ａ,１４３ａにおける副意匠部１４３ｂ,１４３ｂが延出していない端部同士が対向するように配置されており、両第２意匠部材１４０,１４１が近接した非作動位置では、図６に示す如く、前記第２可動体１０４の前側に配設された前記第２装飾部１３８を両主意匠部１４３ａ,１４３ａで前側から覆い、両第２意匠部材１４０,１４１が離間した作動位置では両主意匠部１４３ａ,１４３ａが第２装飾部１３８の前側から移動して該第２装飾部１３８を前側に露出するよう構成される(図４,図２９参照)。なお、第２意匠部材１４０,１４１の非作動位置では、不透明な前記第２発光基板１４４,１４４が第２装飾部１３８の前側に位置して、該第２装飾部１３８は前側から視認できないよう第２意匠部材１４０,１４１(第２可動部材１０６)で隠されるようになっている。また、実施例の第２可動部材１０６では、自由端側第２意匠部材１４０は、非作動位置において第２可動体１０４の自由端部(端部)から外方へ突出するように配置されており、該自由端側第２意匠部材１４０が作動位置に移動することで第２可動体１０４の自由端部から外方への突出量が大きくなるよう構成されている(図４,図２２参照)。
【００８３】
(第２可動部材１０６の組付け構造について)
前記第２可動体１０４に対する第２可動部材１０６の組付け構造は、前記１可動体４６に対する第１可動部材４８の組付け構造と同じである。すなわち、自由端側第２意匠部材１４０は、第２可動体１０４に形成された複数の自由端側長孔１０４ｅに対して摺動部材１４６を介して該第２可動体１０４の長手方向に摺動自在に支持される。また、枢支端側第２意匠部材１４１は、第２可動体１０４に形成された複数の支点側長孔１０４ｆに対して摺動部材１４６を介して該第２可動体１０４の長手方向に摺動自在に支持される。
【００８４】
図２１,図２７,図２８に示す如く、前記自由端側第２意匠部材１４０の第２基体１４２に設けられた自由端側延出部１４７に移動用ラック１４７ａが形成されると共に、枢支端側第２意匠部材１４１の第２基体１４２における移動用ラック１４７ａと対向する側縁に、移動用ラック１４８が形成されている。そして、両移動用ラック１４７ａ,１４８が、第２可動体１０４に回動自在に支持された後述する進退用作動歯車１５２に対して回転中心を挟む両側で噛合し、該進退用作動歯車１５２の回転によって両第２意匠部材１４０,１４１が相互に逆方向に移動するよう構成される。また、支点側第２意匠部材１４１の第２基体１４２に形成された支点側延出部１４９に、後述する進退用駆動歯車１５１に噛合する駆動用ラック１４９ａが形成されている。
【００８５】
前記自由端側延出部１４７は、透明に形成されると共に、前記第２可動体１０４における中央貫通孔１０４ｃの形成位置から外れた位置を該第２可動体１０４の長手方向に沿って延在するように配置される。すなわち、両第２意匠部材１４０,１４１が相互に離間した際に、両第２意匠部材１４０,１４１の間に臨む自由端側延出部１４７によって前記発光基板１３９に実装した発光体１３９ａ,１３９ｂからの光が第２装飾部１３８の中央明輝部１３８ａおよび外周明輝部１３８ｂに照射されるのを阻害しないよう構成してある。
【００８６】
(第２進退機構１０７について)
前記第２可動体１０４に、前記第２可動部材１０６を動作させる前記第２進退機構(進退機構)１０７が配設されている。第２進退機構１０７は、図２７,図２８に示す如く、第２可動体１０４の前面に後向きに配設された駆動手段としての第２進退用モータ１５０と、該第２進退用モータ１５０の出力軸に配設された駆動歯車１５０ａと、第２可動体１０４に回動自在に支持されて該駆動歯車１５０ａに噛合する進退用駆動歯車１５１と、第２可動体１０４に回動自在に支持されて前記支点側第２意匠部材１４１の第２基体１４２および自由端側第２意匠部材１４０の第２基板１４２に設けた移動用ラック１４７ａ,１４８の夫々に噛合する進退用作動歯車１５２とを備え、進退用駆動歯車１５１が前記支点側延出部１４９に形成した前記駆動用ラック１４９ａに噛合している。すなわち、第２進退用モータ１５０を正転方向および逆転方向に回転駆動することで、第１進退機構４９と同様に、進退用駆動歯車１５１と駆動用ラック１４９ａとの噛合作用および両第２意匠部材１４０,１４１の移動用ラック１４７ａ,１４８が進退用作動歯車１５２に噛合する構成によって、自由端側第２意匠部材１４０と支点側第２意匠部材１４１とが相互に逆方向に移動して非作動位置と作動位置との間を往復するよう構成される。実施例では、第２進退用モータ１５０の回転方向について、両意匠部材１４０,１４１を非作動位置から作動位置に向けて移動する際の回転方向を正転方向と指称し、作動位置から非作動位置に向けて移動する際の回転方向を逆転方向と指称する場合がある。
【００８７】
(後第３検出手段１５３について)
前記第２可動体１０４に設けられて前記制御手段１６０に配線接続される後第３検出手段(第３検出手段)１５３(図２７参照)は、前記支点側第２意匠部材１４１に設けられた検出片１４９ｂを、該支点側第２意匠部材１４１(第２可動部材１０６)の作動位置において検出するよう構成される。そして、後第３検出手段１５３の検出信号の入力に基づいて第２進退用モータ１５０を制御手段１６０が停止制御することで、両第２意匠部材１４０,１４１(第２可動部材１０６)を相互に離間した作動位置に停止保持し得るよう構成される。
【００８８】
(配線処理構造について)
前記第２可動体１０４には、第１位置において窓口２６ａ側から離間する側(第２位置から離間する側)の下端部に、板面を上下方向に延在した立てた姿勢で可動側第２中継基板１５４が配設されており(図２０参照)、該可動側第２中継基板１５４には、第２可動体１０４に配設された前記第２発光基板１４４,１４５および発光演出装置１３７の発光基板１３９が配線を介して接続されている。また、前記第２モータ取付基材１１１に、板面を上下方向に延在した立てた姿勢で固定側第２中継基板１５５が配設されており(図２２参照)、前記可動側第２中継基板１５４に一端が接続されて該可動側第２中継基板１５４の下端から下方に延出するフラットケーブル(フレキシブルフラットケーブル)からなる第２配線１５６は、他端側が上側に引き回されて固定側第２中継基板１５５の下端部側に接続されている。この第２配線１５６は、幅方向を前後向きとした姿勢で両第２中継基板１５４,１５５の間を引き回されている。
【００８９】
前記第２主取付基材１０９には、前記第２モータ取付基材１１１の下側に延在する部位に、固定側第２中継基板１５５から下方に引き回される第２配線１５６の引き回し領域において左方に凹むと共に右側が開口する収容凹部１０９ｃが上下方向に所定長さで形成されている。そして、第２可動体１０４が第２位置から第１位置に移動する際に、第２可動体１０４(可動側第２中継基板１５４)の下方移動に伴って押し下げられる第２配線１５６が収容凹部１０９ｃに収容されるようになっている(図６参照)。なお、第２モータ取付基材１１１には、第２可動体１０４の第２位置において可動側第２中継基板１５４と固定側第２中継基板１５５との間に臨む第２配線１５６の左側に対向する規制壁１１１ｂが設けられており、該第２可動体１０４が第１位置と第２位置との間を移動する際に第２配線１５６が左方に大きく可橈するのを該規制壁１１１ｂで規制し得るよう構成してある。
【００９０】
(制御手段１６０について)
実施例のパチンコ機１０の制御手段１６０は、図３３に示す如く、パチンコ機１０を全体的に制御する主制御基板１６１と、該主制御基板１６１からの制御信号に基づいて遊技演出を全体的に制御する演出制御基板１６２と、該演出制御基板１６２からの制御信号に基づいて各種制御対象(モータやソレノイド等)を制御する駆動制御基板１６３とを備えている。主制御基板１６１には、前記第１始動入賞検出センサ、第２始動入賞検出センサ、特別入賞検出センサ、普通入賞検出センサ、球通過検出センサ等の各種検出センサが接続され、該各種検出センサからの検出信号に基づいて各種処理が実行され、その処理結果に応じた変動パターン情報等の各種の指示情報(制御コマンド)が演出制御基板１６２に出力されるようになっている。また、演出制御基板１６２に、前記各種検出手段７１,８１,９８,１２８,１３６,１５３が駆動制御基板１６３を介して接続されると共に、該駆動制御基板１６３に前記各モータ６９,８３,９５,１１６,１５０が接続されている。演出制御基板１６２には、前記可動演出装置Ｍ１,Ｍ２における可動体４６,１０４および可動部材４８,１０６の具体的な動きを特定する各種の動作パターンが記憶されており、該演出制御基板１６２は、主制御基板１６２からの指示情報に基づいて前記可動体４６,１０４および可動部材４８,１０６の動作パターンを選択し、各種検出手段７１,８１,９８,１２８,１３６,１５３からの信号を確認しつつ制御信号を駆動制御基板１６３に出力するよう構成されている。そして、駆動制御基板１６３が、制御信号に基づいて各モータ９６,８３,９５,１１６,１５０を駆動制御するようになっている。なお、演出制御基板１６２は、前記表示装置１７やパチンコ機１０に配設されている図示しないランプ装置やスピーカ等の各種演出装置も制御するよう構成されている。
【００９１】
(可動体４６,１０４および可動部材４８,１０６の動作制御について)
次に、前記制御手段１６０(具体的には演出制御基板１６２および駆動制御基板１６３)で実行される可動体４６,１０４および可動部材４８,１０６の動作制御について説明する。なお、両可動演出装置Ｍ１,Ｍ２の動作制御は同じであるので、第１可動演出装置Ｍ１の場合で説明することとする。
【００９２】
前記第１可動演出装置Ｍ１において、前記前第３検出手段９８が検出片９４ｂを検出していない非検出状態(ＯＦＦ状態)で、かつ前記前第１検出手段７１が検出片６１ｂを検出している検出状態(ＯＮ状態)である場合、前記制御手段１６０は、前記第１進退用モータ９５の駆動を禁止するよう設定されている。そして、前第３検出手段９８が検出片９４ｂを検出していない非検出状態(ＯＦＦ状態)で、前記前第２検出手段８１が検出片７９ｃを検出していない非検出状態(ＯＦＦ状態)から検出した検出状態(ＯＮ状態)に切り替わった場合に、制御手段１６０は、第１進退用モータ９５の駆動の禁止を解除するよう設定されている。すなわち、前記第１可動体４６の第１位置において非作動位置に位置する第１可動部材４８が作動位置に移動するのを阻止して、該第１可動部材４８が他の部材に接触して破損等するのを防止するようになっている。また、第１可動体４６が第２位置に移動することで第１可動部材４８が移動する領域に他の部材が存在しない状態においては、該第１可動部材４８の動作を許容するよう構成される。
【００９３】
前記前第２検出手段８１が検出片７９ｃを検出している検出状態(ＯＮ状態)で、かつ前記前第３検出手段９８が検出片９４ｂを検出している検出状態(ＯＮ状態)である場合、前記制御手段１６０は、前記第１移動用モータ６９の駆動を禁止するよう設定されている。そして、前記前第２検出手段８１が検出片７９ｃを検出している検出状態(ＯＮ状態)で、前第３検出手段９８が検出片９４ｂを検出している検出状態(ＯＮ状態)から検出しない非検出状態(ＯＦＦ状態)に切り替わった場合に、制御手段１６０は、第１移動用モータ６９の駆動の禁止を解除するよう設定されている。すなわち、第１可動部材４８が作動位置に位置する状態のままで第１可動体４６が第２位置から第１位置に移動するのを阻止して、該第１可動部材４８が他の部材に接触して破損等するのを防止するようになっている。また、第１可動部材４８が非作動位置に移動することで該第１可動部材４８が他部材と接触するおそれのなくなった状態においては、第１可動体４６の動作を許容するよう構成されている。
【００９４】
(実施例の作用)
次に、前述のように構成された実施例に係るパチンコ機１０の作用につき説明する。
【００９５】
前記前枠１３の前面側に設けられた前記操作ハンドル１６の操作レバー１６ａを遊技者が回転操作すると、前記打球発射装置から発射されたパチンコ球が前記遊技盤２０に設けた遊技領域２４内に打ち出される。このとき、前記操作レバー１６ａの回動量に応じてパチンコ球の打ち出し位置が変化し、打ち出し位置に応じて遊技領域２４の異なる経路をパチンコ球が流下する。遊技領域２４を流下するパチンコ球が第１始動入賞口２９ａまたは第２始動入賞口３３ａに入賞すると、前記制御手段１６０の制御に基づいて前記表示装置１７での図柄変動演出が開始され、図柄変動演出の結果、表示装置１７に所定の図柄組み合わせが表示されると大当りが発生する。大当りが発生すると、表示装置１７に表示された図柄組み合わせに応じて、前記遊技盤２０に設けられた特別入賞装置３４が開放されると共に、前記制御手段１６０の制御に基づいて表示装置１７において大当り演出が行われる。
【００９６】
前記パチンコ機１０では、前記表示装置１７で行われる図柄変動演出や大当り演出に応じて、前記可動演出装置Ｍ１,Ｍ２の可動体４６,１０４や可動部材４８,１０６が動作されると共に、該可動体４６,１０４や可動部材４８,１０６に配設された発光体８９ａ,９０ａ,１３９ａ,１３９ｂ,１４４ａ,１４５ａが発光されたり点滅される発光演出によって遊技の興趣が向上される。
【００９７】
(第１可動演出装置Ｍ１の動作演出について)
前記第１可動演出装置Ｍ１の第１可動体４６が第１位置に位置する状態において、図６に示す如く、該第１可動体４６は直立姿勢に保持されて、左右方向の幅寸法は小さくなっている。また、前記第１可動部材４８を構成する一対の第１意匠部材８５,８６は相互に近接した非作動位置に位置して、自由端側第１意匠部材８５の第１可動体４６の自由端からの突出寸法は小さくなっている。すなわち、前記窓口２６ａの右側方において第１可動体４６および第１可動部材４８を収容するのに必要となる上下方向の寸法および左右方向の寸法を小さく抑えることができる。そして、第１可動体４６が第１位置に位置する状態では、図２に示す如く、該第１可動体４６および第１可動部材４８は前記窓口２６ａから前側に露出しないようになっている。すなわち、窓口２６ａを小さくすることなく該窓口２６ａの右側方に、第１可動演出装置Ｍ１を視認し得ない状態で収容する空間を確保するのが容易となる。言い替えれば、窓口２６ａを大きくして前記表示装置１７の表示領域を広くすることができ、該表示装置１７の大型化に対応し得る。
【００９８】
前記制御手段１６０からの制御信号によって前記第１移動用モータ６９が正転方向に回転駆動され、前記第１ピニオン７０と第１ラック６１ａとの噛合作用下に待機位置に位置する前記第１移動部材６０が移動位置に向けて移動すると、前記第１作動部材７９が前第２軸５７を中心として左方向(窓口２６ａの中央側)に傾動するのに伴って前第１軸７４が第１ガイド部材６７の第１ガイド孔６７ａを右端から左端に向けて移動することで、該第１可動体４６は第１移動部材７９に対して前記第１基軸７２を中心として左方向に傾動する。すなわち、第１可動体４６は、上方に移動しつつ前第１軸７４および前第３軸７７に対して回動することで直立姿勢から自由端側が左側に傾斜すように姿勢変化する(図２９参照)。そして、前記第１作動部材７９に設けた検出片７９ｃが前記前第２検出手段８１で検出され、該前第２検出手段８１からの検出信号に基づいて前記制御手段１６０が第１移動用モータ６９を停止制御することで、第１可動体４６は第２位置(第１移動部材６０は移動位置)に保持される。第１可動体４６の第２位置では、図３に示す如く、該第１可動体４６は前記窓口２６ａの略中央部において自由端部が左斜め上方を向く左上向き傾斜姿勢となり、インパクトのある演出を行い得る。
【００９９】
前記前第２検出手段８１の検出状態において、前記制御手段１６０からの制御信号によって前記第１進退用モータ９５が正転方向に回転駆動され、前記進退用駆動歯車９６と支点側第１意匠部材８６の駆動用ラック９４ａとの噛合作用下に非作動位置に位置する支点側第１意匠部材８６が作動位置に向けて移動すると、該支点側第１意匠部材８６の前記移動用ラック９３と進退用作動歯車９７との噛合作用下に該進退用作動歯車９７が回転する。これにより、該進退用作動歯車９７に移動用ラック９２ａが噛合している自由端側第１意匠部材８５が非作動位置から作動位置へ向けて移動する。すなわち、一対の第１意匠部材８５,８６が相互に離間移動することで、両第１意匠部材８５,８６の対向端部の間が広がり、図９,図３１に示す如く、前記第１装飾部５０が前側に露出する。そして、支点側第１意匠部材８６に設けた検出片９４ｂが前記前第３検出手段９８で検出されると、該前第３検出手段９８の検出信号の入力に基づいて前記制御手段１６０が第１進退用モータ９５を停止制御することで、一対の第１意匠部材８５,８６は作動位置に停止保持される。
【０１００】
前記第１可動体４６の前側に配設されている前記自由端側第１意匠部材８５が非作動位置から作動位置に移動することで、該自由端側第１意匠部材８５の第１可動体４６の端部からの突出寸法が大きく変化する。すなわち、一対の意匠部材８５,８６が相互に離間移動することで、図４に示す如く、前記窓口２６ａの中央部に移動してきた第１可動体４６の見た目の寸法が大きくなることで、遊技者によりインパクトを与えて遊技の興趣を向上することができる。また、両第１意匠部材８５,８６の離間移動によって露出した前記第１装飾部５０を、前記回転機構５１によって回転することで、より興趣の高い演出を行うことができる。
【０１０１】
前記前第３検出手段９８の検出状態において、前記制御手段１６０からの制御信号によって前記第１進退用モータ９５が逆転方向に回転駆動されると、前記進退用駆動歯車９６と駆動用ラック９４ａとの噛合作用および移動用ラック９２ａ,９３と進退用作動歯車９７との噛合作用下に、一対の第１意匠部材８５,８６が相互に近接移動することで、両第１意匠部材８５,８６の対向端部の間が狭くなる。そして、検出状態となっていた前第３検出手段９８が非検出状態に切り替わったことに基づいて前記制御手段１６０が第１進退用モータ９５を停止制御することで、一対の第１意匠部材８５,８６は、図２９に示す非作動位置に停止保持され、前記第１装飾部５０は前側が第１意匠部材８５,８６で覆われて見えなくなる。
【０１０２】
次に、前記制御手段１６０からの制御信号によって前記第１移動用モータ６９が逆転方向に回転駆動され、前記第１ピニオン７０と第１ラック６１ａとの噛合作用下に移動位置に位置する前記第１移動部材６０が待機位置に向けて移動すると、前記第１作動部材７９が前第２軸５７を中心として右方向(窓口２６ａの端縁側)に傾動するのに伴って前第１軸７４が第１ガイド部材６７の第１ガイド孔６７ａを左端から右端に向けて移動することで、該第１可動体４６は第１移動部材７９に対して前記第１基軸７２を中心として右方向に傾動する。すなわち、第１可動体４６は、下方に移動しつつ前第１軸７４および前第３軸７７に対して回動することで左上向き傾斜姿勢から自由端側が右側に傾動するように姿勢変化する。そして、前記第１移動部材６０に設けた検出片６１ｂが前記前第１検出手段７１で検出され、該前第１検出手段７１からの検出信号に基づいて前記制御手段１６０が第１移動用モータ６９を停止制御することで、第１可動体４６は第１位置(第１移動部材６０は待機位置)において直立姿勢で保持される。
【０１０３】
(第２可動演出装置Ｍ２の動作演出について)
前記第２可動演出装置Ｍ２の動作演出については、前記第２可動体１０４の動作方向が前記第１可動体４６の動作方向と左右対称の点で異なり、その他は第１可動演出装置Ｍ１の動作演出と同じであるので、同一部分については簡単に説明して異なる部分について詳細に説明するものとする。すなわち、第２可動体１０４が第１位置に位置する状態において、前記第２駆動機構１０５の第２移動用モータ１１６を正転方向に回転駆動すると、前記第２ピニオン１２７と第２ラック１１９ａとの噛合作用下に待機位置に位置する前記第２移動部材１１８が移動位置に向けて上方移動するのに伴って、第２可動体１０４が後第１軸１３１および後第３軸１３３に対して回動することで直立姿勢から自由端側が右側に傾斜すように姿勢変化する(図２９参照)。そして、前記第２作動部材１３４に設けた検出片１３４ｃが前記後第２検出手段１３６で検出されることに基づいて前記制御手段１６０が第２移動用モータ１１６を停止制御することで、第２可動体１０４は第２位置(第２移動部材１１８は移動位置)に保持される。第２可動体１０４の第２位置では、図３に示す如く、該第２可動体１０４は前記窓口２６ａの略中央部において自由端部が右斜め上方を向く右上向き傾斜姿勢となり、インパクトのある演出を行い得る。
【０１０４】
前記後第２検出手段１３６の検出状態において、前記制御手段１６０からの制御信号によって前記第２進退機構１０７の第２進退用モータ１５０が正転方向に回転駆動されると、前記進退用駆動歯車１５１と駆動用ラック１４９ａとの噛合作用および移動用ラック１４７ａ,１４８と進退用作動歯車１５２との噛合作用下に、一対の第２意匠部材１４０,１４１が相互に離間移動することで前記第２装飾部１３８が前側に露出する。そして、支点側第２意匠部材１４１に設けた検出片１４９ｂが前記後第３検出手段１５３で検出されることに基づいて前記制御手段１６０が第２進退用モータ１１６を停止制御することで、一対の第２意匠部材１４０,１４１は、図２２に示す作動位置に停止保持される。
【０１０５】
前記第２可動体１０４の前側に配設されている前記自由端側第２意匠部材１４０が非作動位置から作動位置に移動することで、該自由端側第２意匠部材１４０の第２可動体１０４の端部からの突出寸法が大きく変化するので、第１可動演出装置Ｍ２においても窓口２６ａの中央部に出現した第２可動体１０４の見た目の寸法が大きくなることで、遊技者によりインパクトを与えて遊技の興趣を向上することができる(図４参照)。また、両第２意匠部材１４０,１４１の離間移動によって露出した前記第２装飾部１３８を、前記発光体１３９ａ,１３９ｂから照射される光によって明輝することで、より興趣の高い演出を行うことができる。すなわち、第２意匠部材１４０,１４１の動作によって第２装飾部１３８を隠したり露出する演出と、露出した第２装飾部１３８を発光体１３９ａ,１３９ｂの光によって明輝する演出とによって、より興趣を高めることができる。
【０１０６】
前記第２進退機構１０７の第２進退用モータ１５０を逆転方向に回転駆動することで、一対の第２意匠部材１４０,１４１が相互に近接して前記第２装飾部１３８を覆い隠した作動位置に至ると、後第３検出手段１５３が非検出状態に切り替わったことに基づいて第２進退用モータ１５０が停止制御されて、一対の第２意匠部材１４０,１４１は、図２９に示す非作動位置に停止保持される。そして、前記第２駆動機構１０５の第２移動用モータ１１６が逆転方向に回転駆動されると、前記第２移動部材１１８の下方移動に伴って第２可動体１０４は下方に移動しつつ後第１軸１３１および後第３軸１３３に対して回動することで右上向き傾斜姿勢から直立姿勢に向けて変化する。そして、前記後第１検出手段１２８が検出片１４９ｂを検出したことに基づいて第２移動用モータ１１６が停止制御されて、第２可動体１０４は第１位置(第２移動部材１１８は待機位置)において直立姿勢で保持される。
【０１０７】
実施例のパチンコ機１０では、両可動演出装置Ｍ１,Ｍ２において、各可動体４６,１０４を上下方向に移動しつつ２つの軸７４,７７,１３１,１３３に対して回動させて姿勢を変化するよう構成したので、固定配置した軸に対して傾動するだけの単純な動作でなく、複雑でインパクトのある動作を可動体４６,１０４に行わせることができ、遊技の興趣を向上し得る。また、各可動演出装置Ｍ１,Ｍ２では、各移動部材６０,１１８をラック６１ａ,１１９ａとピニオン７０,１２７とを用いて上下方向に直線的に移動するだけで、対応する各可動体４６,１０４に複雑な動作を行わせ得るので、駆動機構４７,１０５を簡略化してコストを低廉に抑えることができる。更に、移動部材６０,１１８を引張りコイルバネ６８,１２６で常に上方(移動位置)に向けて付勢しているので、大型で重量のある可動体４６,１０４および可動部材４８,１０６を持ち上げる際に移動用モータ６９,１１６に加わる負荷を軽減して耐久性を向上することができる。
【０１０８】
また、前記各作動部材７９,１３４の傾動範囲は、被規制部８０,１３５が装置本体４５,１０３に設けた規制孔５８,１１５を画成する壁によって規制されているので、各可動体４６,１０４が意図しない状態まで姿勢が変化するのを防止することができる。すなわち、可動体４６,１０４が他の部品と接触して動作不良が発生するのを防止することができる。また、作動部材７９,１３４は、当該作動部材７９,１３４の回転軸線方向と交差する方向に屈曲して剛性が高められているので、前記第３軸７７,１３３を介して支持している可動体４６,１０４を適正に動作させることができる。更に、作動部材７９,１３４を回転軸線方向にも屈曲しているので、該作動部材７９,１３４で支持している可動体４６,１０４の前後方向(回転軸線方向)の変位を抑制して、該可動体４６,１０４が他の部品と接触干渉して動作不良が発生するのを抑えることができる。
【０１０９】
ここで、実施例の可動体４６,１０４は、前記ねじりコイルバネ７３,１３０によって常には第１位置に向けて移動する方向に回転するように付勢されているので、第１位置において可動体４６,１０４は該ねじりコイルバネ７３,１３０の付勢力によって直立姿勢に保持され、パチンコ機１０に発生する振動等によって該可動体４６,１０４が移動するのを抑制し得る。
【０１１０】
実施例のパチンコ機１０では、各可動演出装置Ｍ１,Ｍ２において、前記第３検出手段９８,１５３の非検出状態(ＯＦＦ状態)で、かつ前記第１検出手段７１,１２８が検出状態(ＯＮ状態)である場合には、前記進退用モータ９５,１５０の駆動を禁止するよう構成しているので、各可動体４６,１０４の第１位置において非作動位置に位置する可動部材４８,１０６が作動位置に移動するのを阻止して、該可動部材４８,１０６が他の部材に接触して破損等が発生するのを防ぐことができる。また、各可動演出装置Ｍ１,Ｍ２において、前記第２検出手段８１,１３６の検出状態(ＯＮ状態)で、かつ前記第３検出手段９８,１５３が検出状態(ＯＮ状態)である場合には、前記移動用モータ６９,１１６の駆動を禁止するよう構成しているので、可動部材４８,１０６が作動位置に位置している状態のままで可動体４６,１０４が第２位置から第１位置に移動するのを阻止して、該可動部材４８,１０６が他の部材に接触して破損等が発生するのを防ぐことができる。
【０１１１】
また、前記第３検出手段９８,１５３が非検出状態(ＯＦＦ状態)である場合には、移動用モータ６９,１１６の駆動の禁止を解除すると共に、前記第２検出手段８１,１３６が検出状態(ＯＮ状態)である場合には、進退用モータ９５,１５０の駆動の禁止を解除するよう構成している。すなわち、可動体４６,１０４および可動部材４８,１０６を、検出手段７１,８１,９８,１２８,１３６,１５３による検出状態に応じて移動するよう構成したので、適正な状態で可動体４６,１０４および可動部材４８,１０６を移動させることができ、可動部材４８,１０６の他部品との接触干渉による動作不良の発生を防止することができる。
【０１１２】
前記第１可動演出装置Ｍ１では、図６に示す如く、前記第１可動体４６が第１位置に位置する状態では、該第１可動体４６に配設されている前記可動側第１中継基板９９と第１装置本体４５に配設されている固定側第１中継基板１００とに接続される第１配線１０２は、第１可動体４６の前記第１支持部材６４と第１装置本体４５の底壁１０１ｂとの間に保持されている。前記第１駆動機構４７によって第１位置から第２位置に移動する第１可動体４６は、上方移動しつつ回転して姿勢が変化し、該第１可動体４６の移動に伴って第１配線１０２が上方に引き上げられて、図９に示すように、第２位置に至った第１可動体４６の第１支持部材６４の下方において略コ字状の形態となる。そして、第１可動体４６が第２位置から第１位置に移動する際には、第１支持部材６４が第１配線１０２を下側に押さえつつ該第１配線１０２を可橈して前記底壁１０１ｂとの間に保持する。すなわち、上下方向に移動しつつ回転変位する第１可動体４６に接続される第１配線１０２が、該第１可動体４６の移動時に意図しない方向(左方)へ移動して他の部品に接触するのを防止することができ、第１配線１０２が破損したり第１可動体４６の円滑な移動が阻害されるのを防ぐことができる。
【０１１３】
前記第２可動演出装置Ｍ２では、図６に示す如く、前記第２可動体１０４が第１位置に位置する状態では、該第２可動体１０４に配設されている前記可動側第２中継基板１５４と第２装置本体１０３に配設されている固定側第２中継基板１５５とに接続される第２配線１５６は、第２装置本体１０３に設けた収容凹部１０９ｃに収容されている。前記第２駆動機構１０５によって第１位置から第２位置に移動する第２可動体１０４は、上方移動しつつ回転して姿勢が変化し、該第２可動体１０４の移動に伴って第２配線１５６が上方に引き上げられて、図２２に示すように、第２位置に至った第２可動体１０４の左側方において前記規制壁１１１ｂとの間に略直線状に延在する形態となる。そして、第２可動体１０４が第２位置から第１位置に移動する際には、該第２可動体１０４の下方移動に伴って第２配線１５６が押し下げられつつ略Ｕ字状に可橈されて、該第２配線１５６は収容凹部１０９ｃに収容される。すなわち、上下方向に移動しつつ回転変位する第２可動体１０４に接続される第２配線１５６が、該第２可動体１０４の移動時に意図しない方向(右方)へ移動して他の部品に接触するのを防止することができ、第２配線１５６が破損したり第２可動体１０４の円滑な移動が阻害されるのを防ぐことができる。
【０１１４】
(両可動演出装置Ｍ１,Ｍ２による動作演出について)
実施例のパチンコ機１０では、前記第１可動演出装置Ｍ１の第１可動体４６および第２可動演出装置Ｍ２の第２可動体１０４は、図３,図２９に示す如く、第２位置において前記枠状装飾体２６における窓口２６ａの中央部において前後に重なってＸ状に交差するから、遊技者に、よりインパクトを与えることができ、興趣を向上し得る。また、各可動体４６,１０４に配設された可動部材４８,１０６を作動位置に移動することで、図４,図３１に示す如く、可動体４６,１０４の見た目の長さを長くすることができ、演出効果を極めて向上し得る。
【０１１５】
前記第２位置に移動した両可動体４６,１０４において前後に重なる交差部に、前記第１装飾部５０が配設されているので、図３１に示す如く、前記第１可動体４６に配設されている第１意匠部材８５,８６を相互に離間移動して該第１装飾部５０を露出すると共に該第１装飾部５０を回転することで、一対の可動体４６,１０４が交差する動作演出と、交差部において露出した第１装飾部５０が回転する動作演出とが相俟って興趣を向上することができる。また、前記第２可動体１０４に配設されている第２意匠部材１４０,１４１を相互に離間移動すると、第１可動体４６における第１装飾部５０の後側に重なるように前記第２装飾部１３８が現われる(図３２参照)。そして、第２可動体１０４に配設されている前記発光体１３９ａ,１３９ｂを発光することで第２装飾部１３８が後側から照らされて明輝し、該第２装飾部１３８を透過した光が第１装飾部５０に照射されることで、該第１装飾部５０が明輝する発光演出が行われる。すなわち、前後に重なるように交差した前側に位置する第１可動体４６の第１装飾部５０を、後側に位置する第２可動体１０４の発光体１３９ａ,１３９ｂによって明輝する斬新な演出を行うことができ、興趣を向上し得る。また、回転する第１装飾部５０に発光基板や発光体を配設する必要がないので、煩雑な配線処理は不要となる。更に、実施例では、第１装飾部５０に配設されて該第１装飾部５０を回転するための回転用作動歯車８２に導光孔８２ｂを形成してあるので、前記第２装飾部１３８における中央明輝部１３８ａを透過した光は第１装飾部５０の中央明輝部５０ｂに直接照射されるので、該中央明輝部５０ｂを強く光らせて演出効果を向上することができる。
【０１１６】
ここで、前記第１可動体４６を支える前記第１作動部材７９および前記第２可動体１０４を支える前記第２作動部材１３４は、何れも当該作動部材７９,１３４の回転軸線方向および該回転軸線方向と交差する方向に夫々屈曲して剛性が高められているので、前後にずらした第１の移動領域および第２の移動領域を移動する第１可動体４６および第２可動体１０４が前後方向に変位するのを抑えて、両可動体４６,１０４が接触するのを防止することができる。すなわち、可動部材４８,１０６が配設された大型の可動体４６,１０４を安定して移動させることができる。また、両可動体４６,１０４の前後方向の変位を抑制し得ることから、第１の移動領域と第２の移動領域とを両可動体４６,１０４が相互に干渉しない範囲でより近づけることができ、パチンコ機自体の前後寸法の短縮化に寄与し得る。
【０１１７】
また、実施例のパチンコ機１０は、両可動演出装置Ｍ１,Ｍ２の夫々が、可動体４６,１０４の前側に移動自在な可動部材４８,１０６を備えると共に、該可動部材４８,１０６の移動によって隠れたり露出する装飾部５０,１３８を備えているので、各可動体４６,１０４を夫々単独で動作する演出や両可動体４６,１０４を同期して動作する演出等、演出形態のバリエーションを増やすことができ、演出の興趣をより向上し得る。
【０１１８】
(変更例)
本願は前述した実施例の構成に限定されるものではなく、その他の構成を適宜に採用することができる。
(1) 実施例では、可動体を上下方向に移動しつつ回転変位させるよう構成したが、可動体を左右方向または斜め方向に移動しつつ回転変位させる構成を採用し得る。すなわち、移動部材の移動方向は上下方向に限らず、任意の方向に設定できる。
(2) 実施例では、駆動機構によって移動部材を直接動作(移動)するよう構成したが、作動部材を駆動機構によって直接動作(移動)する構成を採用し得る。
(3) 実施例では、移動部材を直線的に移動する駆動機構としてラックとピニオンとを用いたが、ベルトとプーリまたはリンク機構等公知の各種機構を採用することができる。
(4) 実施例では、可動体に配設される可動部材を一対の意匠部材で構成したが、意匠部材は１つであってもよく、非作動位置に対して作動位置に移動した際の可動体からの突出量が大きくなるように配設されたものであればよい。
(5) 実施例では、第１可動体に配設した第１装飾部を回転駆動するよう構成したが、第２装飾部と同じように第１可動体に対して第１装飾部を固定配置したものであってもよい。
(6) 実施例では、第１可動体に配設した第１装飾部のみを回転駆動するよう構成したが、第２可動体を第１可動体と同じように構成して第２装飾部も回転駆動する構成を採用し得る。
【０１１９】
(7) 実施例では、第２可動体に配設される発光演出装置として、該第２可動体の前側に配設された第２装飾部と、発光体を備えて第２可動体の後側に配設された発光基板とから構成したが、発光演出装置は、発光体を備えた発光基板を第２装飾部に配設したものであってもよい。すなわち、第１可動体と第２可動体とが前後に重なった交差部に配設される発光部としての第２装飾部は、自身が発光体を備えて第１装飾部に光を照射するものであっても、後側から照射されて第２装飾部を透過した光が第１装飾部に照射されるものであってもよい。
(8) 実施例では、第１装飾部および第２装飾部の形状として星型多角形を挙げたが、該装飾部の形状は円形や四角形等の各種の形状を採用し得る。また、両装飾部の形状を異なるようにしてもよい。更に、各装飾部を複数づつ設ける構成を採用し得る。
(9) 実施例では、第１可動演出装置と第２可動演出装置とを左右方向で対向するように配置したが、上下方向に対向するように配置する構成や、斜め方向で対向するように配置する構成を採用することができる。
【０１２０】
(10) 実施例では、主制御基板、演出制御基板および駆動制御基板を分けて設けるようにしたが、単一の制御基板とすることもできる。すなわち、実施例における主制御基板、演出制御基板および駆動制御基板の機能を、単一の制御基板から構成された制御手段が備えるようにしてもよい。
(11) 実施例では、演出制御基板と駆動制御基板とを分けて設けるようにしたが、単一の制御基板とすることもできる。すなわち、実施例における演出制御基板および駆動制御基板の機能を、単一の制御基板が備えるように制御手段を構成することができる。
(12) 制御手段は、打球発射装置を制御する発射制御基板、賞球の払出しを行う払出し装置を制御する払出し制御基板等を備えていてもよい。
(13) ランプ装置やスピーカを制御する機能を演出制御基板が兼用する構成に代えて、ランプ装置の発光制御を行うランプ制御基板やスピーカの音出力制御を行う音制御基板を別に設けるようにしてもよい。
(14) 遊技機としては、パチンコ機に限られるものではなく、アレンジボール機やパチンコ球やコインを用いたスロットマシン等、その他各種の遊技機であってもよい。
【符号の説明】
【０１２１】
４５ 第１装置本体(装置本体)
４６ 第１可動体(可動体)
４７ 第１駆動機構(駆動機構)
４８ 第１可動部材(可動部材)
４９ 第１進退機構(進退機構)
５７ 前第２軸(第２軸)
５８ 第１規制孔(規制部)
６０ 第１移動部材(移動部材)
６１ａ 第１ラック(ラック)
６９ 第１移動用モータ(駆動モータ)
７０ 第１ピニオン(ピニオン)
７１ 前第１検出手段(第１検出手段)
７４ 前第１軸(第１軸)
７７ 前第３軸(第３軸)
７９ 第１作動部材(作動部材)
８０ 第１被規制部(被規制部)
８１ 前第２検出手段(第２検出手段)
９８ 前第３検出手段(第３検出手段)
１０３ 第２装置本体(装置本体)
１０４ 第２可動体(可動体)
１０５ 第２駆動機構(駆動機構)
１０６ 第２可動部材(可動部材)
１０７ 第２進退機構(進退機構)
１１３ 後第２軸(第２軸)
１１５ 第２規制孔(規制部)
１１６ 第２移動用モータ(駆動モータ)
１１８ 第２移動部材(移動部材)
１１９ａ 第２ラック(ラック)
１２７ 第２ピニオン(ピニオン)
１２８ 後第１検出手段(第１検出手段)
１３１ 後第１軸(第１軸)
１３３ 後第３軸(第３軸)
１３４ 第２作動部材(作動部材)
１３５ 第２被規制部(被規制部)
１３６ 後第２検出手段(第２検出手段)
１３７ 発光演出装置
１５３ 後第３検出手段(第３検出手段)
Ｍ１ 第１可動演出装置(可動演出装置)
Ｍ２ 第２可動演出装置(可動演出装置)
Ｌ１ 線分
Ｌ２ 線分
【図１】
2015202277.tif 000003
【図２】
2015202277.tif 000004
【図３】
2015202277.tif 000005
【図４】
2015202277.tif 000006
【図５】
2015202277.tif 000007
【図６】
2015202277.tif 000008
【図７】
2015202277.tif 000009
【図８】
2015202277.tif 000010
【図９】
2015202277.tif 000011
【図１０】
2015202277.tif 000012
【図１１】
2015202277.tif 000013
【図１２】
2015202277.tif 000014
【図１３】
2015202277.tif 000015
【図１４】
2015202277.tif 000016
【図１５】
2015202277.tif 000017
【図１６】
2015202277.tif 000018
【図１７】
2015202277.tif 000019
【図１８】
2015202277.tif 000020
【図１９】
2015202277.tif 000021
【図２０】
2015202277.tif 000022
【図２１】
2015202277.tif 000023
【図２２】
2015202277.tif 000024
【図２３】
2015202277.tif 000025
【図２４】
2015202277.tif 000026
【図２５】
2015202277.tif 000027
【図２６】
2015202277.tif 000028
【図２７】
2015202277.tif 000029
【図２８】
2015202277.tif 000030
【図２９】
2015202277.tif 000031
【図３０】
2015202277.tif 000032
【図３１】
2015202277.tif 000033
【図３２】
2015202277.tif 000034
【図３３】
2015202277.tif 000035